(57)【要約】ユーザ機器（ＵＥ）においてデータ接続性を管理するための方法、システム、およびデバイスについて説明する。管理することは、ＵＥのすべてのＰＤＮ接続のすべてのトラフィックがワイヤレスローカルエリアネットワーク（ＷＬＡＮ）アクセスネットワークに現在オフロードされていると決定することと、次いで、ＵＥのすべてのＰＤＮ接続のすべてのトラフィックがＷＬＡＮアクセスネットワークにオフロードされている間、ワイヤレスワイドエリアネットワーク（ＷＷＡＮ）ＰＤＮ接続上でデータを送信および受信するのを控えることとを含み得る。トリガリングイベントを検出したことに応答して、ＵＥの現在のＷＷＡＮキャンピングステータスとＷＬＡＮオフロードポリシーとに従って、利用可能なＷＷＡＮアクセスネットワークまたはＷＬＡＮアクセスネットワークのうちの少なくとも１つとのＰＤＮ接続が確立され得る。【選択図】図３Ｂ
2016526316.tif 000002
【特許請求の範囲】
【請求項１】
ユーザ機器（ＵＥ）においてデータ接続性を管理する方法であって、
前記ＵＥのすべてのＰＤＮ接続のすべてのトラフィックがワイヤレスローカルエリアネットワーク（ＷＬＡＮ）アクセスネットワークに現在オフロードされていると決定することと、
前記ＵＥのすべてのＰＤＮ接続のすべてのトラフィックが前記ＷＬＡＮアクセスネットワークにオフロードされている間、ワイヤレスワイドエリアネットワーク（ＷＷＡＮ）ＰＤＮ接続上でデータを送信および受信するのを控えることと、
トリガリングイベントを検出することと、
前記ＵＥの現在のＷＷＡＮキャンピングステータスとＷＬＡＮオフロードポリシーとに従って、前記トリガリングイベントに応答して、利用可能なＷＷＡＮアクセスネットワークまたは前記ＷＬＡＮアクセスネットワークのうちの少なくとも１つとのＰＤＮ接続を確立することと、
を備える方法。
【請求項２】
ＷＷＡＮ  ＰＤＮ接続上でデータを送信および受信するのを前記控えることは、前記ＵＥをＬＴＥ限定サービスモードに入れること、または前記ＵＥにおいてＬＴＥ機能をディセーブルにすることのうちの少なくとも１つを備える、請求項１に記載の方法。
【請求項３】
前記ＵＥにとって利用可能なＬＴＥアクセスネットワークと、前記ＵＥにとって利用可能な非ＬＴＥ  ＷＷＡＮアクセスネットワークとを識別することと、
ＷＷＡＮ  ＰＤＮ接続上でデータを送信および受信するのを控えるとともに前記非ＬＴＥ  ＷＷＡＮアクセスネットワークにキャンプオンすることと、
をさらに備える、請求項２に記載の方法。
【請求項４】
前記ＵＥにとって現在利用可能な唯一のＷＷＡＮアクセスネットワークがＬＴＥアクセスネットワークであると決定することと、
ＷＷＡＮ  ＰＤＮ接続上でデータを送信および受信するのを控えながら前記ＬＴＥアクセスネットワークにキャンプオンし、前記ＬＴＥアクセスネットワークからシステム情報ブロックメッセージを受信することと、
をさらに備える、請求項２に記載の方法。
【請求項５】
前記トリガリングイベントは、
前記ＷＬＡＮアクセスネットワークから前記利用可能なＷＷＡＮアクセスネットワークに既存のＰＤＮ接続を転送するという決定
を備える、請求項２に記載の方法。
【請求項６】
前記ＵＥが、ＷＷＡＮ  ＰＤＮ接続上でデータを送信および受信するのを控えながら発展型パケットコア（ＥＰＣ）対応非ＬＴＥ  ＷＷＡＮアクセスネットワークにキャンプオンされていると決定することと、
前記トリガリングイベントに応答して前記ＵＥの前記既存のＰＤＮ接続を前記ＥＰＣ対応非ＬＴＥ  ＷＷＡＮアクセスネットワークに転送することと、
前記トリガリングイベントに応答して、ＬＴＥ機能をイネーブルにすること、または前記ＵＥをＬＴＥ通常モードに入れることのうちの少なくとも１つを実行することと、
前記ＵＥが、前記ＬＴＥアクセスネットワークにアタッチしたこと、または前記ＬＴＥ通常モードに入ったことに応答して、前記ＥＰＣ対応非ＬＴＥ  ＷＷＡＮアクセスネットワークからＬＴＥアクセスネットワークに前記ＵＥの前記既存のＰＤＮ接続を転送することと、
をさらに備える、請求項５に記載の方法。
【請求項７】
前記ＵＥが、ＷＷＡＮ  ＰＤＮ接続上でデータを送信および受信するのを控えながら限定サービスモードでＬＴＥアクセスネットワークにキャンプオンされているか、または前記ＵＥが、ＷＷＡＮ  ＰＤＮ接続上でデータを送信および受信するのを控えながら、ＬＴＥ機能をディセーブルにしており、ＷＷＡＮアクセスネットワークにキャンプオンしていないと決定することと、
前記トリガリングイベントに応答して、ＬＴＥ機能をイネーブルにすること、または前記ＵＥをＬＴＥ通常モードに入れることのうちの少なくとも１つを実行することと、
前記ＵＥが、前記ＬＴＥアクセスネットワークにアタッチしたこと、または前記ＬＴＥ通常モードに入ったことに応答して、前記ＷＬＡＮアクセスネットワークから前記ＬＴＥアクセスネットワークに前記ＵＥの前記既存のＰＤＮ接続を転送することと、
をさらに備える、請求項５に記載の方法。
【請求項８】
前記トリガリングイベントは、
ＷＷＡＮアクセスネットワークのみによってサポートされる新しいデータ接続を確立するようにとのアプリケーション要求を前記ＵＥにおいて受信すること
を備える、請求項２に記載の方法。
【請求項９】
前記ＵＥが、ＷＷＡＮ  ＰＤＮ接続上でデータを送信および受信するのを控えながら発展型パケットコア（ＥＰＣ）対応非ＬＴＥ  ＷＷＡＮアクセスネットワークにキャンプオンされていると決定することと、
前記トリガリングイベントに応答して前記ＥＰＣ対応非ＬＴＥ  ＷＷＡＮアクセスネットワークにおいて新しいＰＤＮ接続を確立することと、
前記トリガリングイベントに応答して、ＬＴＥ機能をイネーブルにすること、または前記ＵＥをＬＴＥ通常モードに入れることのうちの少なくとも１つを実行することと、
前記ＵＥが、前記ＬＴＥアクセスネットワークにアタッチしたこと、または前記ＬＴＥ通常モードに入ったことに応答して、前記ＥＰＣ対応非ＬＴＥ  ＷＷＡＮアクセスネットワークからＬＴＥアクセスネットワークに前記ＵＥの前記新しいＰＤＮ接続を転送することと、
をさらに備える、請求項８に記載の方法。
【請求項１０】
前記ＵＥが、ＷＷＡＮ  ＰＤＮ接続上でデータを送信および受信するのを控えながら限定サービスモードでＬＴＥアクセスネットワークにキャンプオンされていると決定することと、
前記トリガリングイベントに応答して前記ＵＥをＬＴＥ通常モードに入れることと、
前記ＵＥが前記ＬＴＥ通常モードに入ったことに応答して、前記ＬＴＥアクセスネットワークにおいて新しいＰＤＮ接続を確立することと、
をさらに備える、請求項８に記載の方法。
【請求項１１】
前記ＵＥが、ＷＷＡＮ  ＰＤＮ接続上でデータを送信および受信するのを控えながらＷＷＡＮアクセスネットワークにキャンプオンしていないと決定することと、
前記トリガリングイベントに応答して、前記ＵＥにおいてＬＴＥ機能をイネーブルにすること、または前記ＵＥをＬＴＥ通常モードに入れることのうちの少なくとも１つを実行することと、
前記ＵＥがしきい値時間量内に前記ＬＴＥアクセスネットワークにアタッチしたことに応答して、ＬＴＥアクセスネットワーク上で新しいＰＤＮ接続を確立することと、
をさらに備える、請求項８に記載の方法。
【請求項１２】
前記ＵＥが前記しきい値時間量内に前記ＬＴＥアクセスネットワークにアタッチしなかったという決定に応答して、前記アプリケーション要求を行ったアプリケーションに失敗を戻すことと、
前記ＵＥが前記しきい値時間量内に前記ＬＴＥアクセスネットワークにアタッチしなかったという前記決定に応答して、ＬＴＥ機能をディセーブルにすること、または前記ＵＥを前記ＬＴＥ限定サービスモードに入れることのうちの少なくとも１つを実行することと、
をさらに備える、請求項１１に記載の方法。
【請求項１３】
前記トリガリングイベントは、
ＷＷＡＮがＷＬＡＮよりも高い優先度をそれについて有する新しいＰＤＮ接続を確立するようにとのアプリケーション要求
を備える、請求項２に記載の方法。
【請求項１４】
前記ＵＥが、ＷＷＡＮ  ＰＤＮ接続上でデータを送信および受信するのを控えながら発展型パケットコア（ＥＰＣ）対応非ＬＴＥ  ＷＷＡＮアクセスネットワークにキャンプオンされていると決定することと、
前記トリガリングイベントに応答して前記ＥＰＣ対応非ＬＴＥ  ＷＷＡＮアクセスネットワークにおいて前記新しいＰＤＮ接続を確立することと、
前記トリガリングイベントに応答して、ＬＴＥ機能をイネーブルにすること、または前記ＵＥをＬＴＥ通常モードに入れることのうちの少なくとも１つを実行することと、
前記ＵＥが、前記ＬＴＥアクセスネットワークにアタッチしたこと、または前記ＬＴＥ通常モードに入ったことに応答して、前記ＥＰＣ対応非ＬＴＥ  ＷＷＡＮアクセスネットワークからＬＴＥアクセスネットワークに前記ＵＥの前記新しいＰＤＮ接続を転送することと、
をさらに備える、請求項１３に記載の方法。
【請求項１５】
前記ＵＥが、ＷＷＡＮ  ＰＤＮ接続上でデータを送信および受信するのを控えながら限定サービスモードでＬＴＥアクセスネットワークにキャンプオンされていると決定することと、
前記トリガリングイベントに応答して前記ＵＥをＬＴＥ通常モードに入れることと、
前記ＵＥが前記ＬＴＥ通常モードに入ったことに応答して、前記ＬＴＥアクセスネットワークにおいて前記新しいＰＤＮ接続を確立することと、
をさらに備える、請求項１３に記載の方法。
【請求項１６】
前記ＵＥが、ＷＷＡＮ  ＰＤＮ接続上でデータを送信および受信するのを控えながらＷＷＡＮアクセスネットワークにキャンプオンしていないと決定することと、
前記トリガリングイベントに応答して、ＬＴＥ機能をイネーブルにすること、または前記ＵＥをＬＴＥ通常モードに入れることのうちの少なくとも１つを実行することと、
前記トリガリングイベントに応答して前記ＷＬＡＮアクセスネットワークにおいて前記新しいＰＤＮ接続を確立することと、
前記ＵＥが前記ＬＴＥアクセスネットワークにアタッチしたことに応答して、前記ＷＬＡＮアクセスネットワークからＬＴＥアクセスネットワークに前記ＵＥの前記新しいＰＤＮ接続を転送することと、
をさらに備える、請求項１３に記載の方法。
【請求項１７】
ユーザ機器（ＵＥ）であって、
前記ＵＥのすべてのＰＤＮ接続のすべてのトラフィックがワイヤレスローカルエリアネットワーク（ＷＬＡＮ）アクセスネットワークに現在オフロードされていると決定するための手段と、
前記ＵＥのすべてのＰＤＮ接続のすべてのトラフィックが前記ＷＬＡＮアクセスネットワークにオフロードされている間、ワイヤレスワイドエリアネットワーク（ＷＷＡＮ）ＰＤＮ接続上でデータを送信および受信するのを控えるための手段と、
トリガリングイベントを検出するための手段と、
前記ＵＥの現在のＷＷＡＮキャンピングステータスとＷＬＡＮオフロードポリシーとに従って、前記トリガリングイベントに応答して、利用可能なＷＷＡＮアクセスネットワークまたは前記ＷＬＡＮアクセスネットワークのうちの少なくとも１つとのＰＤＮ接続を確立するための手段と、
を備えるＵＥ。
【請求項１８】
前記ＵＥをＬＴＥ限定サービスモードに入れるか、または前記ＵＥにおいてＬＴＥ機能をディセーブルにするための手段
をさらに備える、請求項１７に記載のＵＥ。
【請求項１９】
前記ＵＥのすべてのＰＤＮ接続のすべてのトラフィックがワイヤレスローカルエリアネットワーク（ＷＬＡＮ）アクセスネットワークに現在オフロードされていると決定することと、
前記ＵＥのすべてのＰＤＮ接続のすべてのトラフィックが前記ＷＬＡＮアクセスネットワークにオフロードされている間、ワイヤレスワイドエリアネットワーク（ＷＷＡＮ）ＰＤＮ接続上でデータを送信および受信するのを控えることと、
トリガリングイベントを検出することと、
前記ＵＥの現在のＷＷＡＮキャンピングステータスとＷＬＡＮオフロードポリシーとに従って、前記トリガリングイベントに応答して、利用可能なＷＷＡＮアクセスネットワークまたは前記ＷＬＡＮアクセスネットワークのうちの少なくとも１つとのＰＤＮ接続を確立することと、
を行うように構成された少なくとも１つのプロセッサ
を備える、ワイヤレス通信のための装置。
【請求項２０】
ＷＷＡＮ  ＰＤＮ接続上でデータを送信および受信するのを前記控えることは、前記ＵＥをＬＴＥ限定サービスモードに入れること、または前記ＵＥにおいてＬＴＥ機能をディセーブルにすることのうちの少なくとも１つを備える、請求項１９に記載の装置。
【請求項２１】
前記少なくとも１つのプロセッサは、
前記ＵＥにとって利用可能なＬＴＥアクセスネットワークと、前記ＵＥにとって利用可能な非ＬＴＥ  ＷＷＡＮアクセスネットワークとを識別することと、
ＷＷＡＮ  ＰＤＮ接続上でデータを送信および受信するのを控えながら前記非ＬＴＥ  ＷＷＡＮアクセスネットワークにキャンプオンすることと、
を行うようにさらに構成された、請求項２０に記載の装置。
【請求項２２】
前記少なくとも１つのプロセッサは、
前記ＵＥにとって現在利用可能な唯一のＷＷＡＮアクセスネットワークがＬＴＥアクセスネットワークであると決定することと、
ＷＷＡＮ  ＰＤＮ接続上でデータを送信および受信するのを控えながら前記ＬＴＥアクセスネットワークにキャンプオンすることと、
を行うようにさらに構成された、請求項２０に記載の装置。
【請求項２３】
前記トリガリングイベントは、
前記ＷＬＡＮアクセスネットワークから前記利用可能なＷＷＡＮアクセスネットワークに既存のＰＤＮ接続を転送すると決定すること、
を備える、請求項２０に記載の装置。
【請求項２４】
前記少なくとも１つのプロセッサは、
前記ＵＥが、ＷＷＡＮ  ＰＤＮ接続上でデータを送信および受信するのを控えながら発展型パケットコア（ＥＰＣ）対応非ＬＴＥ  ＷＷＡＮアクセスネットワークにキャンプオンされていると決定することと、
前記トリガリングイベントに応答して前記ＵＥの前記既存のＰＤＮ接続を前記ＥＰＣ対応非ＬＴＥ  ＷＷＡＮアクセスネットワークに転送することと、
前記トリガリングイベントに応答して、ＬＴＥ機能をイネーブルにすること、または前記ＵＥをＬＴＥ通常モードに入れることのうちの少なくとも１つを実行することと、
前記ＵＥが、前記ＬＴＥアクセスネットワークにアタッチしたこと、または前記ＬＴＥ通常モードに入ったことに応答して、前記ＥＰＣ対応非ＬＴＥ  ＷＷＡＮアクセスネットワークからＬＴＥアクセスネットワークに前記ＵＥの前記既存のＰＤＮ接続を転送することと、
を行うようにさらに構成された、請求項２３に記載の装置。
【請求項２５】
前記少なくとも１つのプロセッサは、
前記ＵＥが、ＷＷＡＮ  ＰＤＮ接続上でデータを送信および受信するのを控えながら限定サービスモードでＬＴＥアクセスネットワークにキャンプオンされているか、または前記ＵＥが、ＷＷＡＮ  ＰＤＮ接続上でデータを送信および受信するのを控えながら、ＬＴＥ機能をディセーブルにしており、ＷＷＡＮアクセスネットワークにキャンプオンしていないと決定することと、
前記トリガリングイベントに応答して、ＬＴＥ機能をイネーブルにすること、または前記ＵＥをＬＴＥ通常モードに入れることのうちの少なくとも１つを実行することと、
前記ＵＥが、前記ＬＴＥアクセスネットワークにアタッチしたこと、または前記ＬＴＥ通常モードに入ったことに応答して、前記ＷＬＡＮアクセスネットワークから前記ＬＴＥアクセスネットワークに前記ＵＥの前記既存のＰＤＮ接続を転送することと、
を行うようにさらに構成された、請求項２３に記載の装置。
【請求項２６】
前記トリガリングイベントは、
ＷＷＡＮアクセスネットワークのみによってサポートされる新しいデータ接続を確立するようにとのアプリケーション要求を前記ＵＥにおいて受信すること、
を備える、請求項２０に記載の装置。
【請求項２７】
前記少なくとも１つのプロセッサは、
前記ＵＥが、ＷＷＡＮ  ＰＤＮ接続上でデータを送信および受信するのを控えながら発展型パケットコア（ＥＰＣ）対応非ＬＴＥ  ＷＷＡＮアクセスネットワークにキャンプオンされていると決定することと、
前記トリガリングイベントに応答して前記ＥＰＣ対応非ＬＴＥ  ＷＷＡＮアクセスネットワークにおいて新しいＰＤＮ接続を確立することと、
前記トリガリングイベントに応答して、ＬＴＥ機能をイネーブルにすること、または前記ＵＥをＬＴＥ通常モードに入れることのうちの少なくとも１つを実行することと、
前記ＵＥが、前記ＬＴＥアクセスネットワークにアタッチしたこと、または前記ＬＴＥ通常モードに入ったことに応答して、前記ＥＰＣ対応非ＬＴＥ  ＷＷＡＮアクセスネットワークからＬＴＥアクセスネットワークに前記ＵＥの前記新しいＰＤＮ接続を転送することと、
を行うようにさらに構成された、請求項２６に記載の装置。
【請求項２８】
前記少なくとも１つのプロセッサは、
前記ＵＥが、ＷＷＡＮ  ＰＤＮ接続上でデータを送信および受信するのを控えながら限定サービスモードでＬＴＥアクセスネットワークにキャンプオンされていると決定することと、
前記トリガリングイベントに応答して前記ＵＥをＬＴＥ通常モードに入れることと、
前記ＵＥが前記ＬＴＥ通常モードに入ったことに応答して、前記ＬＴＥアクセスネットワークにおいて新しいＰＤＮ接続を確立することと、
を行うようにさらに構成された、請求項２６に記載の装置。
【請求項２９】
前記少なくとも１つのプロセッサは、
前記ＵＥが、ＷＷＡＮ  ＰＤＮ接続上でデータを送信および受信するのを控えながらＷＷＡＮアクセスネットワークにキャンプオンしていないと決定することと、
前記トリガリングイベントに応答して、前記ＵＥにおいてＬＴＥ機能をイネーブルにすること、または前記ＵＥをＬＴＥ通常モードに入れることのうちの少なくとも１つを実行することと、
前記ＵＥがしきい値時間量内に前記ＬＴＥアクセスネットワークにアタッチしたことに応答して、ＬＴＥアクセスネットワーク上で新しいＰＤＮ接続を確立することと、
を行うようにさらに構成された、請求項２６に記載の装置。
【請求項３０】
コンピュータ可読プログラムコードが記憶された非一時的コンピュータ可読媒体を備えるコンピュータプログラム製品であって、前記コンピュータ可読プログラムコードは、
少なくとも１つのプロセッサに、前記ＵＥのすべてのＰＤＮ接続のすべてのトラフィックがワイヤレスローカルエリアネットワーク（ＷＬＡＮ）アクセスネットワークに現在オフロードされていると決定させるように構成されたコンピュータ可読プログラムコードと、
前記少なくとも１つのプロセッサに、前記ＵＥのすべてのＰＤＮ接続のすべてのトラフィックが前記ＷＬＡＮアクセスネットワークにオフロードされている間、ワイヤレスワイドエリアネットワーク（ＷＷＡＮ）ＰＤＮ接続上でデータを送信および受信するのを控えさせるように構成されたコンピュータ可読プログラムコードと、
前記少なくとも１つのプロセッサに、トリガリングイベントを検出させるように構成されたコンピュータ可読プログラムコードと、
前記少なくとも１つのプロセッサに、前記ＵＥの現在のＷＷＡＮキャンピングステータスとＷＬＡＮオフロードポリシーとに従って、前記トリガリングイベントに応答して、利用可能なＷＷＡＮアクセスネットワークまたは前記ＷＬＡＮアクセスネットワークのうちの少なくとも１つとのＰＤＮ接続を確立させるように構成されたコンピュータ可読プログラムコードと、
を備える、コンピュータプログラム製品。
【発明の詳細な説明】
【優先権の主張】
【０００１】
相互参照
本特許出願は、各々が本出願の譲受人に譲渡された、２０１４年５月２日に出願された、「Support Data Connectivity Over WLAN and WWAN」と題する、Ｚｈａｏらによる米国特許出願第１４／２６８，７４２号、および２０１３年５月６日に出願された、「Support Data Connectivity Over WLAN and WWAN」と題する、Ｚｈａｏらによる米国仮特許出願第６１／８２０，０４７号の優先権を主張する。
【技術分野】
【０００２】
[0002]以下は、一般にワイヤレス通信に関し、より詳細には、ワイヤレス通信システム内で動作しているユーザ機器（ＵＥ）におけるデータ接続性の管理に関する。ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続（multiple-access）システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【背景技術】
【０００３】
[0003]概して、ワイヤレス多元接続通信システムは、各々が複数のＵＥのための通信を同時にサポートする、いくつかのアクセスポイントを含み得る。異なるアクセスポイントは、いくつかの場合には、ワイヤレスワイドエリアネットワーク（ＷＷＡＮ：Wireless Wide Area Network）アクセスネットワークまたはワイヤレスローカルエリアネットワーク（ＷＬＡＮ：Wireless Local Area Network）アクセスネットワークを含む、異なるアクセスネットワークに関連付けられ得る。いくつかの場合には、キャリアポリシーに準拠するために、ＵＥのデータ接続性をＷＬＡＮアクセスネットワークのうちの１つまたは複数に限定することが望ましいことがある。しかしながら、そのようなキャリアポリシーは、いくつかのタイプの通信についてＷＷＡＮを選好し得る、ＵＥにおける１つまたは複数のポリシーと時々矛盾することがある。たとえば、キャリアポリシーは、ＵＥがＷＬＡＮアクセスネットワークの範囲内にあるとき、ＷＷＡＮアクセスネットワークからＷＬＡＮアクセスネットワークへのパケットデータネットワーク（ＰＤＮ：packet data network）接続のオフローディングを選好し得る。しかし、ＵＥはまた、１つまたは複数のＰＤＮまたはＰＤＮタイプへのアクセスのためのデフォルトプロバイダとしてＷＷＡＮを指定する競合するポリシーを施行し得る。したがって、競合するキャリアポリシーとＵＥ  ＷＷＡＮポリシーとの間の矛盾を回避しながら、ＵＥのＰＤＮ接続がＷＬＡＮにオフロードされているときのＵＥの挙動を決定する必要がある。
【発明の概要】
【０００４】
[0004]説明する特徴は、概して、ユーザ機器（ＵＥ）においてデータ接続性を管理するための１つまたは複数の改善された方法、システム、および／または装置に関する。管理することは、ＵＥのすべてのＰＤＮ接続のすべてのトラフィックがワイヤレスローカルエリアネットワーク（ＷＬＡＮ）アクセスネットワークに現在オフロードされていると決定することと、次いで、ＵＥのすべてのＰＤＮ接続のすべてのトラフィックが当該ＷＬＡＮアクセスネットワークにオフロードされている間、ワイヤレスワイドエリアネットワーク（ＷＷＡＮ）ＰＤＮ接続上でデータを送信および受信するのを控えることとを含み得る。トリガリングイベント（triggering event）を検出したことに応答して、ＵＥの現在のＷＷＡＮキャンピングステータスとＷＬＡＮオフロードポリシーとに従って、利用可能なＷＷＡＮアクセスネットワークまたは当該ＷＬＡＮアクセスネットワークのうちの少なくとも１つとのＰＤＮ接続が確立され得る。
【０００５】
[0005]第１の例示的な構成によれば、ユーザ機器（ＵＥ）においてデータ接続性を管理する方法は、ＵＥのすべてのＰＤＮ接続のすべてのトラフィックがワイヤレスローカルエリアネットワーク（ＷＬＡＮ）アクセスネットワークに現在オフロードされていると決定することと、ＵＥのすべてのＰＤＮ接続のすべてのトラフィックが当該ＷＬＡＮアクセスネットワークにオフロードされている間、ワイヤレスワイドエリアネットワーク（ＷＷＡＮ）ＰＤＮ接続上でデータを送信および受信するのを控えることと、トリガリングイベントを検出することと、ＵＥの現在のＷＷＡＮキャンピングステータスとＷＬＡＮオフロードポリシーとに従って、トリガリングイベントに応答して、利用可能なＷＷＡＮアクセスネットワークまたは当該ＷＬＡＮアクセスネットワークのうちの少なくとも１つとのＰＤＮ接続を確立することとを含み得る。
【０００６】
[0006]いくつかの例では、ＷＷＡＮ  ＰＤＮ接続上でデータを送信および受信するのを控えることは、ＵＥをＬＴＥ限定サービスモードに入れること、またはＵＥにおいてＬＴＥ機能をディセーブルにすることのうちの少なくとも１つを含み得る。いくつかの例では、ＵＥは、ＵＥにとって利用可能なＬＴＥアクセスネットワークと、ＵＥにとって利用可能な非ＬＴＥ  ＷＷＡＮアクセスネットワークとを識別し、ＷＷＡＮ  ＰＤＮ接続上でデータを送信および受信するのを控えている間、当該非ＬＴＥ  ＷＷＡＮアクセスネットワークにキャンプオン（camp on）し得る。
【０００７】
[0007]ＵＥは、いくつかの例では、ＵＥにとって現在利用可能な唯一のＷＷＡＮアクセスネットワークがＬＴＥアクセスネットワークであると決定し、ＷＷＡＮ  ＰＤＮ接続上でデータを送信および受信するのを控えている間、当該ＬＴＥアクセスネットワークにキャンプオンし得る。いくつかの例では、ＵＥは、ＷＷＡＮ  ＰＤＮ接続上でデータを送信および受信するのを控えている間、ＬＴＥアクセスネットワークからシステム情報ブロックメッセージを受信し得る。
【０００８】
[0008]いくつかの例では、トリガリングイベントは、ＷＬＡＮアクセスネットワークから利用可能なＷＷＡＮアクセスネットワークに既存のＰＤＮ接続を転送するという決定を含み得る。いくつかの例では、ＵＥが、ＷＷＡＮ  ＰＤＮ接続上でデータを送信および受信するのを控えている間、発展型パケットコア（ＥＰＣ：evolved packet core）対応非ＬＴＥ  ＷＷＡＮアクセスネットワークにキャンプオンされるという決定が行われ得る。ＵＥは、トリガリングイベントに応答してＵＥの既存のＰＤＮ接続を当該ＥＰＣ対応非ＬＴＥ  ＷＷＡＮアクセスネットワークに転送し、また、トリガリングイベントに応答して、ＬＴＥ機能をイネーブルにすること、またはＵＥをＬＴＥ通常モードに入れること、のうちの少なくとも１つを実行し得る。ＵＥの既存のＰＤＮ接続は、次いで、ＵＥが、ＬＴＥアクセスネットワークにアタッチ（attach）したこと、またはＬＴＥ通常モードに入ったことに応答して、当該ＥＰＣ対応非ＬＴＥ  ＷＷＡＮアクセスネットワークからＬＴＥアクセスネットワークに転送され得る。
【０００９】
[0009]いくつかの例では、ＵＥが、ＷＷＡＮ  ＰＤＮ接続上でデータを送信および受信するのを控えている間、限定サービスモードでＬＴＥアクセスネットワークにキャンプオンされること、または、ＵＥがＷＷＡＮ  ＰＤＮ接続上でデータを送信および受信するのを控えている間、ＬＴＥ機能をディセーブルにし、ＷＷＡＮアクセスネットワークにキャンプオンしないこと、という決定が行われ得る。これらの例では、ＵＥは、トリガリングイベントに応答して、ＬＴＥ機能をイネーブルにすること、またはＵＥをＬＴＥ通常モードに入れること、のうちの少なくとも１つを実行し、次いで、ＵＥが、ＬＴＥアクセスネットワークにアタッチしたこと、またはＬＴＥ通常モードに入ったことに応答して、ＷＬＡＮアクセスネットワークからＬＴＥアクセスネットワークにＵＥの既存のＰＤＮ接続を転送し得る。
【００１０】
[0010]いくつかの例では、トリガリングイベントは、ＷＷＡＮアクセスネットワークのみによってサポートされる新しいＰＤＮ接続を確立するようにとのアプリケーション要求をＵＥにおいて受信することを含み得る。
【００１１】
[0011]例のセットによれば、ＵＥは、ＵＥが、ＷＷＡＮ  ＰＤＮ接続上でデータを送信および受信するのを控えている間、発展型パケットコア（ＥＰＣ）対応非ＬＴＥ  ＷＷＡＮアクセスネットワークにキャンプオンされると決定し、トリガリングイベントに応答して当該ＥＰＣ対応非ＬＴＥ  ＷＷＡＮアクセスネットワークにおいて新しいＰＤＮ接続を確立し、トリガリングイベントに応答して、ＬＴＥ機能をイネーブルにすること、またはＵＥをＬＴＥ通常モードに入れることのうちの少なくとも１つを実行し、ＵＥが、ＬＴＥアクセスネットワークにアタッチしたこと、またはＬＴＥ通常モードに入ったことに応答して、当該ＥＰＣ対応非ＬＴＥ  ＷＷＡＮアクセスネットワークからＬＴＥアクセスネットワークにＵＥの新しいＰＤＮ接続を転送し得る。
【００１２】
[0012]いくつかの例では、ＵＥが、ＷＷＡＮ  ＰＤＮ接続上でデータを送信および受信するのを控えている間、限定サービスモードでＬＴＥアクセスネットワークにキャンプオンされるという決定が行われ得、ＵＥは、トリガリングイベントに応答してＬＴＥ通常モードに入れられ得、ＵＥがＬＴＥ通常モードに入ったことに応答して、新しいＰＤＮ接続が当該ＬＴＥアクセスネットワークにおいて確立され得る。
【００１３】
[0013]さらに他の例では、ＵＥが、ＷＷＡＮ  ＰＤＮ接続上でデータを送信および受信するのを控えている間、ＷＷＡＮアクセスネットワークにキャンプオンしないという決定が行われ得、ＵＥは、トリガリングイベントに応答して、ＵＥにおいてＬＴＥ機能をイネーブルにすること、またはＵＥをＬＴＥ通常モードに入れることのうちの少なくとも１つを実行し得、ＵＥがしきい値時間量内にＬＴＥアクセスネットワークにアタッチしたことに応答して、当該ＬＴＥアクセスネットワークにおいて新しいＰＤＮ接続が確立され得る。
【００１４】
[0014]いくつかの例では、ＵＥは、ＵＥがしきい値時間量内にＬＴＥアクセスネットワークにアタッチしなかったという決定に応答して、アプリケーション要求を行ったアプリケーションに失敗を戻し、ＵＥがしきい値時間量内にＬＴＥアクセスネットワークにアタッチしなかったという決定に応答して、ＬＴＥ機能をディセーブルにすること、またはＵＥをＬＴＥ限定サービスモードに入れることのうちの少なくとも１つを実行し得る。
【００１５】
[0015]いくつかの例では、トリガリングイベントは、ＷＷＡＮがＷＬＡＮよりも高い優先度を有する新しいＰＤＮ接続を確立するようにとのアプリケーション要求を含み得る。
【００１６】
[0016]ＵＥは、たとえば、ＵＥが、ＷＷＡＮ  ＰＤＮ接続上でデータを送信および受信するのを控えている間、発展型パケットコア（ＥＰＣ）対応非ＬＴＥ  ＷＷＡＮアクセスネットワークにキャンプオンされると決定し、トリガリングイベントに応答して当該ＥＰＣ対応非ＬＴＥ  ＷＷＡＮアクセスネットワークにおいて新しいＰＤＮ接続を確立し、トリガリングイベントに応答して、ＬＴＥ機能をイネーブルにすること、またはＵＥをＬＴＥ通常モードに入れること、のうちの少なくとも１つを実行し、ＵＥが、ＬＴＥアクセスネットワークにアタッチしたこと、またはＬＴＥ通常モードに入ったことに応答して、当該ＥＰＣ対応非ＬＴＥ  ＷＷＡＮアクセスネットワークからＬＴＥアクセスネットワークにＵＥの新しいＰＤＮ接続を転送し得る。
【００１７】
[0017]追加または代替として、ＵＥは、ＵＥが、ＷＷＡＮ  ＰＤＮ接続上でデータを送信および受信するのを控えている間、限定サービスモードでＬＴＥアクセスネットワークにキャンプオンされると決定し、トリガリングイベントに応答してＵＥをＬＴＥ通常モードに入れ、ＵＥがＬＴＥ通常モードに入ったことに応答して、当該ＬＴＥアクセスネットワークにおいて新しいＰＤＮ接続を確立し得る。
【００１８】
[0018]追加または代替の例では、ＵＥは、ＵＥが、ＷＷＡＮ  ＰＤＮ接続上でデータを送信および受信するのを控えている間、ＷＷＡＮアクセスネットワークにキャンプオンしないと決定し、トリガリングイベントに応答して、ＬＴＥ機能をイネーブルにすること、またはＵＥをＬＴＥ通常モードに入れることのうちの少なくとも１つを実行し、トリガリングイベントに応答してＷＬＡＮアクセスネットワークにおいて新しいＰＤＮ接続を確立し、ＵＥがＬＴＥアクセスネットワークにアタッチしたことに応答して、当該ＷＬＡＮアクセスネットワークからＬＴＥアクセスネットワークにＵＥの新しいＰＤＮ接続を転送し得る。
【００１９】
[0019]第２の例示的な構成によれば、ユーザ機器（ＵＥ）は、ＵＥのすべてのＰＤＮ接続のすべてのトラフィックがワイヤレスローカルエリアネットワーク（ＷＬＡＮ）アクセスネットワークに現在オフロードされていると決定するための手段と、ＵＥのすべてのＰＤＮ接続のすべてのトラフィックがＷＬＡＮアクセスネットワークにオフロードされている間、ワイヤレスワイドエリアネットワーク（ＷＷＡＮ）ＰＤＮ接続上でデータを送信および受信するのを控えるための手段と、トリガリングイベントを検出するための手段と、ＵＥの現在のＷＷＡＮキャンピングステータスとＷＬＡＮオフロードポリシーとに従って、トリガリングイベントに応答して、利用可能なＷＷＡＮアクセスネットワークまたは当該ＷＬＡＮアクセスネットワークのうちの少なくとも１つとのＰＤＮ接続を確立するための手段とを含み得る。
【００２０】
[0020]いくつかの例では、第２の例示的な構成のＵＥは、第１の例示的な構成の方法に関して上記で説明した機能の１つまたは複数の態様を実装するように構成され得る。
【００２１】
[0021]第３の例示的な構成によれば、ワイヤレス通信のための装置は、ＵＥのすべてのＰＤＮ接続のすべてのトラフィックがワイヤレスローカルエリアネットワーク（ＷＬＡＮ）アクセスネットワークに現在オフロードされていると決定することと、ＵＥのすべてのＰＤＮ接続のすべてのトラフィックがＷＬＡＮアクセスネットワークにオフロードされている間、ワイヤレスワイドエリアネットワーク（ＷＷＡＮ）ＰＤＮ接続上でデータを送信および受信するのを控えることと、トリガリングイベントを検出することと、を行うように構成された少なくとも１つのプロセッサを含み得る。少なくとも１つのプロセッサは、ＵＥの現在のＷＷＡＮキャンピングステータスとＷＬＡＮオフロードポリシーとに従って、トリガリングイベントに応答して、利用可能なＷＷＡＮアクセスネットワークまたは当該ＷＬＡＮアクセスネットワークのうちの少なくとも１つとのＰＤＮ接続を確立するようにさらに構成され得る。
【００２２】
[0022]いくつかの例では、第３の例示的な構成のワイヤレス通信のための装置の少なくとも１つのプロセッサは、第１の例示的な構成の方法に関して上記で説明した機能の１つまたは複数の態様を実装するように構成され得る。
【００２３】
[0023]第４の例示的な構成によれば、コンピュータプログラム製品は、コンピュータ可読プログラムコードを記憶した非一時的コンピュータ可読媒体を含み得る。コンピュータ可読プログラムコードは、少なくとも１つのプロセッサに、ＵＥのすべてのＰＤＮ接続のすべてのトラフィックがワイヤレスローカルエリアネットワーク（ＷＬＡＮ）アクセスネットワークに現在オフロードされていると決定させるように構成されたコンピュータ可読プログラムコードと、少なくとも１つのプロセッサに、ＵＥのすべてのＰＤＮ接続のすべてのトラフィックがＷＬＡＮアクセスネットワークにオフロードされている間、ワイヤレスワイドエリアネットワーク（ＷＷＡＮ）ＰＤＮ接続上でデータを送信および受信するのを控えさせるように構成されたコンピュータ可読プログラムコードと、少なくとも１つのプロセッサに、トリガリングイベントを検出させるように構成されたコンピュータ可読プログラムコードと、少なくとも１つのプロセッサに、ＵＥの現在のＷＷＡＮキャンピングステータスとＷＬＡＮオフロードポリシーとに従って、トリガリングイベントに応答して、利用可能なＷＷＡＮアクセスネットワークまたは当該ＷＬＡＮアクセスネットワークのうちの少なくとも１つとのＰＤＮ接続を確立させるように構成されたコンピュータ可読プログラムコードとを含み得る。
【００２４】
[0024]いくつかの例では、第４の例示的な構成のコンピュータプログラム製品は、第１の例示的な構成の方法に関して上記で説明した機能の１つまたは複数の態様を実装するように構成され得る。
【００２５】
[0025]説明する方法および装置の適用性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００２６】
[0026]以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００２７】
【図１】ワイヤレス通信システムの第１のブロック図。
【図２】ワイヤレス通信システムの第２のブロック図。
【図３Ａ】様々な実施形態による、ＬＴＥアクセスネットワークからＵＥのすべてのＰＤＮ接続のすべてのトラフィックをオフロードし、次いで、ＬＴＥアクセスネットワークから切断することの例を示す図。
【図３Ｂ】様々な実施形態による、ＬＴＥアクセスネットワークからＵＥのすべてのＰＤＮ接続のすべてのトラフィックをオフロードし、次いで、ＬＴＥアクセスネットワークから切断することの例を示す図。
【図３Ｃ】様々な実施形態による、ＬＴＥアクセスネットワークからＵＥのすべてのＰＤＮ接続のすべてのトラフィックをオフロードし、次いで、ＬＴＥアクセスネットワークから切断することの例を示す図。
【図４Ａ】様々な実施形態による、ＬＴＥアクセスネットワークからＵＥのすべてのＰＤＮ接続のすべてのトラフィックをオフロードし、次いで、ＵＥがＬＴＥアクセスネットワークにキャンプオンされたままであることを可能にすることの例を示す図。
【図４Ｂ】様々な実施形態による、ＬＴＥアクセスネットワークからＵＥのすべてのＰＤＮ接続のすべてのトラフィックをオフロードし、次いで、ＵＥがＬＴＥアクセスネットワークにキャンプオンされたままであることを可能にすることの例を示す図。
【図４Ｃ】様々な実施形態による、ＬＴＥアクセスネットワークからＵＥのすべてのＰＤＮ接続のすべてのトラフィックをオフロードし、次いで、ＵＥがＬＴＥアクセスネットワークにキャンプオンされたままであることを可能にすることの例を示す図。
【図５Ａ】様々な実施形態による、ＵＥのＰＤＮ接続のうちのいくつかまたはすべてのトラフィックがまたＷＷＡＮアクセスネットワークにどのように転送され得るかの例を与える図。
【図５Ｂ】様々な実施形態による、ＵＥのＰＤＮ接続のうちのいくつかまたはすべてのトラフィックがまたＷＷＡＮアクセスネットワークにどのように転送され得るかの例を与える図。
【図５Ｃ】様々な実施形態による、ＵＥのＰＤＮ接続のうちのいくつかまたはすべてのトラフィックがまたＷＷＡＮアクセスネットワークにどのように転送され得るかの例を与える図。
【図６Ａ】様々な実施形態による、ＵＥのＰＤＮ接続のうちのいくつかまたはすべてのトラフィックがまたＷＷＡＮアクセスネットワークにどのように転送され得るかの例を与える図。
【図６Ｂ】様々な実施形態による、ＵＥのＰＤＮ接続のうちのいくつかまたはすべてのトラフィックがまたＷＷＡＮアクセスネットワークにどのように転送され得るかの例を与える図。
【図６Ｃ】様々な実施形態による、ＵＥのＰＤＮ接続のうちのいくつかまたはすべてのトラフィックがまたＷＷＡＮアクセスネットワークにどのように転送され得るかの例を与える図。
【図７Ａ】様々な実施形態による、ＵＥのＰＤＮ接続のうちのいくつかまたはすべてのトラフィックがまたＷＷＡＮアクセスネットワークにどのように転送され得るかの例を与える図。
【図７Ｂ】様々な実施形態による、ＵＥのＰＤＮ接続のうちのいくつかまたはすべてのトラフィックがまたＷＷＡＮアクセスネットワークにどのように転送され得るかの例を与える図。
【図７Ｃ】様々な実施形態による、ＵＥのＰＤＮ接続のうちのいくつかまたはすべてのトラフィックがまたＷＷＡＮアクセスネットワークにどのように転送され得るかの例を与える図。
【図８Ａ】様々な実施形態による、ＵＥのＰＤＮ接続のうちのいくつかまたはすべてのトラフィックがまたＷＷＡＮアクセスネットワークにどのように転送され得るかの例を与える図。
【図８Ｂ】様々な実施形態による、ＵＥのＰＤＮ接続のうちのいくつかまたはすべてのトラフィックがまたＷＷＡＮアクセスネットワークにどのように転送され得るかの例を与える図。
【図８Ｃ】様々な実施形態による、ＵＥのＰＤＮ接続のうちのいくつかまたはすべてのトラフィックがまたＷＷＡＮアクセスネットワークにどのように転送され得るかの例を与える図。
【図９Ａ】様々な実施形態による、ＵＥのＷＷＡＮ  ＰＤＮ接続が非シームレスＷＬＡＮオフローディング（ＮＳＷＯ：non-seamless WLAN offloading）に従うとき、ＵＥのＰＤＮ接続のすべてのトラフィックのすべてがＷＬＡＮアクセスネットワークにどのようにオフロードされ得るかの例を与える図。
【図９Ｂ】様々な実施形態による、ＵＥのＷＷＡＮ  ＰＤＮ接続が非シームレスＷＬＡＮオフローディング（ＮＳＷＯ）に従うとき、ＵＥのＰＤＮ接続のすべてのトラフィックのすべてがＷＬＡＮアクセスネットワークにどのようにオフロードされ得るかの例を与える図。
【図１０Ａ】ＵＥが、ＷＷＡＮ  ＰＤＮ接続上でデータを送信および受信するのを控えている間、どのようにＬＴＥアクセスネットワークにアタッチし、ＰＤＮ接続に接続し得るかを示す図。
【図１０Ｂ】ＵＥが、ＷＷＡＮ  ＰＤＮ接続上でデータを送信および受信するのを控えている間、ＮＳＷＯに従い、どのようにＬＴＥアクセスネットワークにアタッチし、ＰＤＮ接続に接続し得るかを示す図。
【図１１】様々な実施形態による、ＵＥのブロック図。
【図１２】様々な実施形態による、ＭＩＭＯ通信システムのブロック図。
【図１３】様々な実施形態による、ＵＥにおいてデータ接続性を管理するための方法の第１の実施形態を示すフローチャート。
【図１４Ａ】様々な実施形態による、ＵＥにおいてデータ接続性を管理するための方法の第２の実施形態を示すフローチャート。
【図１４Ｂ】様々な実施形態による、ＵＥにおいてデータ接続性を管理するための方法の第２の実施形態を示すフローチャート。
【図１５】様々な実施形態による、ＵＥにおいてデータ接続性を管理するための方法の第３の実施形態を示すフローチャート。
【図１６】様々な実施形態による、ＵＥにおいてデータ接続性を管理するための方法の第４の実施形態を示すフローチャート。
【発明を実施するための形態】
【００２８】
[0040]ワイヤレス通信システム内で動作しているユーザ機器（ＵＥ）におけるデータ接続性の管理について説明する。いくつかの状況では、ネットワーク事業者または他のエンティティは、ＵＥがワイヤレスローカルエリアネットワーク（ＷＬＡＮ）上でのみデータ接続性を与えることを望むことがある。これらのシナリオでは、ＵＥのパケットデータネットワーク（ＰＤＮ）接続のトラフィックは、１つまたは複数のワイヤレスワイドエリアネットワーク（ＷＷＡＮ）アクセスネットワークから１つまたは複数のＷＬＡＮアクセスネットワークにオフロードされ得る。その後、ＵＥは、ＷＷＡＮ  ＰＤＮ接続上でデータを送信または受信することを試みないか、または、ＷＬＡＮ上でのみＵＥのデータ接続性を与えることの所望の結果が達成されない。しかしながら、いくつかのトリガリングイベントがＷＷＡＮアクセスネットワークとのＰＤＮ接続の再確立または使用につながり得る。これらのトリガリングイベントは、たとえば、（たとえば、ＷＬＡＮアクセスが許容できないレベルまで劣化したので、アプリケーションが、ＷＷＡＮに対して既存のＰＤＮ接続のハンドオーバを行うように要求したので、または、たとえば、無線アクセス技術（ＲＡＴ：Radio Access Technology）の状態が変化したのでＷＷＡＮがＷＬＡＮよりも好ましいとＵＥのアクセスネットワーク管理モジュールが決定したので）ＷＬＡＮアクセスネットワークから利用可能なＷＷＡＮアクセスネットワークに既存のＰＤＮ接続を転送するという決定、または、ＵＥにおいて受信された、ＷＷＡＮアクセスネットワークのみによってサポートされる新しいデータ接続を確立するようにとの要求、またはＷＷＡＮがＷＬＡＮよりも高い優先度をそれについて有する新しいＰＤＮ接続を確立するようにとのアプリケーション要求を含み得る。
【００２９】
[0041]開示されるワイヤレス通信ネットワークでは、ＵＥは、ＬＴＥ−ＰＤＮ接続またはＮＳＷＯポリシーに従うＬＴＥ−ＮＳＷＯ−ＰＤＮ接続のいずれかを介してＬＴＥアクセスネットワークと通信し得る。ＵＥがＬＴＥ−ＰＤＮ接続を介してＬＴＥアクセスネットワークに最初にアタッチされた場合、ＵＥは、すべてのＰＤＮ接続のすべてのトラフィックがＷＬＡＮアクセスネットワークにオフロードされた後、ＬＴＥアクセスネットワークから切断するか、またはＬＴＥアクセスネットワークとのＬＴＥ限定サービスモードに入り得る。代替的に、ＬＴＥアクセスネットワークとの最後のＰＤＮ接続が非シームレスＷＬＡＮオフロード（ＮＳＷＯ）に従うＰＤＮ接続である場合、ＵＥは、ＰＤＮ接続を維持し、ＰＤＮ接続上でデータを送信および受信するのを控え得る。ＵＥが非ＥＰＣ対応技術を使用してＷＷＡＮアクセスネットワークに最初にアタッチされたとき、ＵＥがＬＴＥアクセスネットワーク上でサービスを取得するときに先行する動作が実行され得る。
【００３０】
[0042]本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）発展型ＨＲＰＤ（ｅＨＲＰＤ：evolved HRPD）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ：Long Term Evolution）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のシステムおよび無線技術、ならびに他のシステムおよび無線技術のために使用され得る。ただし、以下の説明では、例としてＬＴＥシステムについて説明し、以下の説明の大部分においてＬＴＥ用語が使用されるが、本技法はＬＴＥ適用例以外に適用可能である。
【００３１】
[0043]以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、適宜に様々な手順または構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００３２】
[0044]最初に図１を参照すると、図は、ワイヤレス通信システム１００の一例を示している。ワイヤレス通信システム１００は、複数のアクセスポイント（たとえば、基地局、ｅＮＢ、またはＷＬＡＮアクセスポイント）１０５と、いくつかのユーザ機器（ＵＥ）１１５と、コアネットワーク１３０とを含む。アクセスポイント１０５のうちのいくつかは、様々な例ではコアネットワーク１３０またはいくつかのアクセスポイント１０５（たとえば、基地局またはｅＮＢ）の一部であり得る、基地局コントローラ（図示せず）の制御下でＵＥ１１５と通信し得る。アクセスポイント１０５のうちのいくつかは、バックホールリンク１３２を通してコアネットワーク１３０と制御情報および／またはユーザデータを通信し得る。いくつかの例では、アクセスポイント１０５のうちのいくつかは、ワイヤードまたはワイヤレス通信リンクであり得るバックホールリンク１３４を介して互いと直接または間接的に通信し得る。ワイヤレス通信システム１００は、複数のキャリア（異なる周波数の波形信号）上での動作をサポートし得る。マルチキャリア送信機は、複数のキャリア上で同時に変調された信号を送信することができる。たとえば、各通信リンク１２５は、様々な無線技術に従って変調されたマルチキャリア信号であり得る。各変調信号は、異なるキャリア上で送られ得、制御情報（たとえば、基準信号、制御チャネルなど）、オーバーヘッド情報、データなどを搬送し得る。
【００３３】
[0045]アクセスポイント１０５は、１つまたは複数のアクセスポイントアンテナを介してＵＥ１１５とワイヤレス通信し得る。アクセスポイント１０５の各々は、それぞれの地理的カバレージエリア１１０に通信カバレージを与え得る。いくつかの例では、アクセスポイント１０５は、基地局、基地トランシーバ局（ＢＴＳ：base transceiver station）、無線基地局、無線トランシーバ、基本サービスセット（ＢＳＳ：basic service set）、拡張サービスセット（ＥＳＳ：extended service set）、ノードＢ、発展型ノードＢ（ｅＮＢ：evolved NodeB）、ホームノードＢ、ホームｅノードＢ、ＷＬＡＮアクセスポイント、または何らかの他の好適な用語で呼ばれることがある。アクセスポイントのためのカバレージエリア１１０は、カバレージエリアの一部分のみを構成するセクタ（図示せず）に分割され得る。ワイヤレス通信システム１００は、異なるタイプのアクセスポイント１０５（たとえば、マクロ基地局、マイクロ基地局、および／またはピコ基地局）を含み得る。アクセスポイント１０５はまた、異なる無線アクセス技術を利用し得る。アクセスポイント１０５は同じまたは異なるアクセスネットワークに関連付けられ得る。同じまたは異なるタイプのアクセスポイント１０５のカバレージエリアを含み、同じまたは異なる無線技術を利用し、および／または、同じまたは異なるアクセスネットワークに属する、異なるアクセスポイント１０５のカバレージエリアは重複し得る。
【００３４】
[0046]いくつかの例では、ワイヤレス通信システム１００はＬＴＥ／ＬＴＥ−Ａ通信システム（またはネットワーク）であるか、またはそれを含み得る。ＬＴＥ／ＬＴＥ−Ａ通信システムでは、発展型ノードＢ（ｅＮＢ）という用語は、概して、アクセスポイント１０５を表すために使用され得る。ワイヤレス通信システム１００はまた、異なるタイプのｅＮＢが様々な地理的領域にカバレージを与える、異種ＬＴＥ／ＬＴＥ−Ａネットワークであり得る。たとえば、各ｅＮＢ１０５は、マクロセル、ピコセル、フェムトセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００３５】
[0047]コアネットワーク１３０は、バックホールリンク１３２（たとえば、Ｓ１など）を介してアクセスポイント１０５と通信し得る。アクセスポイント１０５はまた、たとえば、バックホールリンク１３４（たとえば、Ｘ２など）を介しておよび／またはバックホールリンク１３２を介して（たとえば、コアネットワーク１３０を通して）直接または間接的に、互いと通信し得る。ワイヤレス通信システム１００は同期動作または非同期動作をサポートし得る。同期動作の場合、アクセスポイントは同様のフレームタイミングを有し得、異なるアクセスポイントからの送信は近似的に時間的に整合され得る。非同期動作の場合、アクセスポイントは異なるフレームタイミングを有し得、異なるアクセスポイントからの送信は時間的に整合されないことがある。本明細書で説明する技法は、同期動作または非同期動作のいずれかのために使用され得る。
【００３６】
[0048]ＵＥ１１５は、ワイヤレス通信システム１００全体にわたって分散され得、各ＵＥ１１５は固定または移動であり得る。ＵＥ１１５は、当業者によって、モバイルデバイス、モバイル局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。ＵＥはまた、セルラーまたは他のＷＷＡＮアクセスネットワーク、あるいはＷＬＡＮアクセスネットワークなど、異なるアクセスネットワーク上で通信することが可能であり得る。
【００３７】
[0049]ワイヤレス通信システム１００に示された通信リンク１２５は、（たとえば、ＵＥ１１５からアクセスポイント１０５への）アップリンク（ＵＬ）送信を搬送するためのアップリンクおよび／または（たとえば、アクセスポイント１０５からＵＥ１１５への）ダウンリンク（ＤＬ）送信を搬送するためのダウンリンクを含み得る。ＵＬ送信は逆方向リンク送信と呼ばれることもあり、ＤＬ送信は順方向リンク送信と呼ばれることもある。
【００３８】
[0050]図示のように、ＵＥ１１５−ａは２つ以上のアクセスポイント１０５−ａ、１０５−ｄと同時にまたは交互に通信し得る。たとえば、いくつかの場合には、ＵＥ１１５−ａは、ＬＴＥアクセスネットワーク（すなわち、ＷＷＡＮアクセスネットワークの一形態）のアクセスポイントまたはｅＮＢ１０５−ａおよびＷＬＡＮアクセスネットワークのＷＬＡＮアクセスポイント（ＡＰ）１０５−ｄと同時に通信し得る。いくつかの実施形態では、ＵＥ１１５−ａなどのＵＥ１１５は、ＵＥのすべてのＰＤＮ接続のすべてのトラフィックがワイヤレスローカルエリアネットワーク（ＷＬＡＮ）アクセスネットワークに（たとえば、ＷＬＡＮ  ＡＰ１０５−ｄに）現在オフロードされていると決定することと、ＵＥ１１５−ａのＰＤＮ接続のすべてのトラフィックのすべてがＷＬＡＮアクセスネットワークにオフロードされている間、ＷＷＡＮ  ＰＤＮ接続（たとえば、ｅＮＢ１０５−ａとのＰＤＮ接続）上でデータを送信および受信するのを控えることとによって、ＵＥ１１５−ａにおいてデータ接続性を管理し得る。次いで、トリガリングイベントを検出したことに応答して、およびＵＥ１１５−ａの現在のＷＷＡＮキャンピングステータスとＷＬＡＮオフロードポリシーとに従って、ＵＥ１１５−ａは、利用可能なＷＷＡＮアクセスネットワークまたはＷＬＡＮアクセスネットワークのうちの少なくとも１つとのＰＤＮ接続を確立し得る。ＵＥ１１５におけるデータ接続性の管理について以下でさらに詳細に説明する。
【００３９】
[0051]次に図２を参照すると、ワイヤレス通信システム２００が示されている。ワイヤレス通信システム２００は、ＵＥ１１５−ｂ、拡張パケットコア（ＥＰＣ：enhanced packet core）１３０−ａ、１ｘ／ＨＲＰＤパケットコア１３０−ｂ、ならびにいくつかのアクセスポイント１０５、いくつかのコントローラ２０５、いくつかのゲートウェイ２１０、およびいくつかのＰＤＮ２３５を含む。アクセスポイント１０５は、ＬＴＥアクセスネットワークに関連付けられたｅＮＢ１０５−ａ−１と、ＧＳＭまたはＷＣＤＭＡアクセスネットワークに関連付けられた拡張基地トランシーバ局（ｅＢＴＳ：enhanced Base Transceiver Station）１０５−ｂと、ｅＨＲＰＤアクセスネットワークに関連付けられた発展型アクセスノード（ｅＡＮ：evolved Access Node）１０５−ｃと、アントラステッドＷＬＡＮアクセスネットワークに関連付けられたＷＬＡＮアクセスポイント１０５−ｄ−１と、トラステッドＷＬＡＮアクセスネットワークに関連付けられたＷＬＡＮアクセスポイント１０５−ｅと、１ｘ／ＨＲＰＤまたは１ｘ専用アクセスネットワークに関連付けられた基地トランシーバ局（ＢＴＳ）１０５−ｆとを含み得る。
【００４０】
[0052]拡張パケットコア１３０−ａは、モバイル管理エンティティ（ＭＭＥ：Mobile Management Entity）とサービングゲートウェイ（ＳＧＷ：Serving Gateway）とを実装するいくつかのデバイス２０５−ａを含み得る。代替的に、ＭＭＥおよびＳＧＷのうちの１つまたは複数は別個のデバイスにおいて実装され得る。ＳＧＷは、１つまたは複数のパケットデータネットワークゲートウェイ（ＰＤＮ−ＧＷ：Packet Data Network Gateway）２１０−ａ−１、２１０−ａ−２と通信していることがある。ＰＤＮ−ＧＷ２１０−ａ−１、２１０−ａ−２の各々は１つまたは複数のＰＤＮ２３５と通信していることがある。
【００４１】
[0053]ｅＮＢ１０５−ａ−１は、ＭＭＥ／ＳＧＷデバイス２０５−ａへの直接接続を通してＥＰＣ１３０−ａにアクセスし得る。ｅＢＴＳ１０５−ｂは無線ネットワークコントローラ（ＲＮＣ）２０５−ｂと通信していることがあり、ＲＮＣ２０５−ｂは、ＭＭＥ／ＳＧ２０５−ａを通してＥＰＣ１３０−ａにアクセスするためにサービングＧＰＲＳサポートノード（ＳＧＳＮ：Serving GPRS Support Node）２１５と通信し得る。ｅＡＮ１０５−ｃは発展型パケット制御機能（ｅＰＣＦ：evolved Packet Control Function）２０５−ｃと通信していることがあり、ｅＰＣＦ２０５−ｃは、ＰＤＮ−ＧＷ２１０−ａを通してＥＰＣ１３０−ａにアクセスするためにＨＲＰＤサービングゲートウェイ（ＨＳＧＷ：HRPD Serving Gateway）２１０−ｂと通信し得る。アントラステッドＷＬＡＮアクセスポイント１０５−ｄ−１は発展型パケットデータゲートウェイ（ｅＰＤＧ：evolved Packet Data Gateway）２０５−ｄと通信し得、ｅＰＤＧ２０５−ｄは、ＰＤＮ−ＧＷ２１０−ａを通してＥＰＣ１３０−ａへのアクセスを与え得る。トラステッドＷＬＡＮ  ＡＰ１０５−ｅは、ＥＰＣ１３０−ａをバイパスし得、ＰＤＮ２３５と直接通信し得る。ＢＴＳ１０５−ｆはＢＳＣ２０５−ｅと通信していることがあり、ＢＳＣ２０５−ｅはコアネットワーク１３０−ｂ（たとえば、１ｘ／ＨＲＰＤコアネットワーク）と通信していることがある。コアネットワーク１３０−ｂはＰＤＮ２３５のうちの１つまたは複数と通信していることがある。
【００４２】
[0054]ｅＮＢ１０５−ａ−１、ｅＢＴＳ１０５−ｂ、ｅＡＮ１０５−ｃ、およびＢＴＳ１０５−ｆの各々はＷＷＡＮアクセスネットワークへのアクセスを与え得るが、ＷＬＡＮ  ＡＰ１０５−ｄ−１、１０５−ｅの各々はＷＬＡＮアクセスネットワークへのアクセスを与え得る。ｅＮＢ１０５−ａ−１はＬＴＥ（ＷＷＡＮ）アクセスネットワークへのアクセスを与え得るが、ｅＢＴＳ１０５−ｂ、ｅＡＮ１０５−ｃ、およびＢＴＳ１０５−ｆは非ＬＴＥ  ＷＷＡＮアクセスネットワークへのアクセスを与え得る。ｅＮＢ１０５−ａ−１、ｅＢＴＳ１０５−ｂ、およびｅＡＮ１０５−ｃはＥＰＣ対応ＷＷＡＮアクセスネットワークへのアクセスを与え得るが、ＢＴＳ１０５−ｆは非ＥＰＣ対応ＷＷＡＮアクセスネットワークへのアクセスを与え得る。
【００４３】
[0055]いくつかの実施形態では、ＵＥ１１５−ｂなどのＵＥ１１５は、ｅＮＢ１０５−ａ−１、ｅＢＴＳ１０５−ｂ、ｅＡＮ１０５−ｃ、ＷＬＡＮ  ＡＰ１０５−ｄ−１、ＷＬＡＮ  ＡＰ１０５−ｅ、ＢＴＳ１０５−ｆ、および／または他のアクセスポイント１０５のうちの２つ以上とのＰＤＮ接続を確立し得る（たとえば、ＵＥ１１５−ｂは多重アクセスＰＤＮ接続性（ＭＡＰＣＯＮ：multi-access PDN connectivity）をサポートし得る）。異なるアクセスネットワーク上でのＰＤＮ接続は、異なるアクセスポイント名（ＡＰＮ：Access Point Name）を使用して確立され得る。いくつかの実施形態では、ＵＥ１１５は、同時に２つ以上のアクセスポイントとのＰＤＮ接続を確立または維持し得る。
【００４４】
[0056]ＵＥ１１５−ｂなどのＵＥ１１５は、データ接続性を確立するためにアクセスネットワークにアクセスするための選好を有し得る。選好はネットワーク事業者ポリシーに基づき得る。選好を使用して、ＵＥ１１５−ｂは、最も好ましい利用可能なシステム上でデータ接続性を確立し、データ接続性連続性を維持し得る。
【００４５】
[0057]図３Ａ、図３Ｂ、図３Ｃ、図４Ａ、図４Ｂ、および図４Ｃは、ＵＥ１１５のすべてのＰＤＮ接続のすべてのトラフィックがＷＬＡＮアクセスネットワークにどのようにオフロードされ得るかの例を与える。より詳細には、図３Ａ、図３Ｂ、および図３Ｃは、ＵＥ１１５−ｃのすべてのＰＤＮ接続のすべてのトラフィックが（ｅＮＢ１０５−ａ−２によって表される）ＬＴＥアクセスネットワークから（ＷＬＡＮアクセスポイント（ＡＰ）１０５−ｄ−２によって表される）ＷＬＡＮアクセスネットワークにオフロードされ得、次いで、ＵＥ１１５−ｃがＬＴＥアクセスネットワークから切断され得る、例を示している。対照的に、図４Ａ、図４Ｂ、および図４Ｃは、ＵＥ１１５−ｄのすべてのＰＤＮ接続のすべてのトラフィックが（ｅＮＢ１０５−ａ−３によって表される）ＬＴＥアクセスネットワークから（ＷＬＡＮアクセスポイント（ＡＰ）１０５−ｄ−３によって表される）ＷＬＡＮアクセスネットワークにオフロードされ得、次いで、ＵＥ１１５−ｄがＬＴＥアクセスネットワークにキャンプオンされたままであり得る、例を示している。
【００４６】
[0058]次に図３Ａを参照すると、図は、ＵＥ１１５−ｃが、ＷＷＡＮアクセスネットワークとの（たとえば、ＬＴＥアクセスネットワークのｅＮＢ１０５−ａ−２との）ＰＤＮ接続Ａと、ＷＬＡＮアクセスネットワークとの（たとえば、ＷＬＡＮアクセスネットワークのＷＬＡＮ  ＡＰ１０５−ｄ−２との）ＰＤＮ接続Ｂとを有し得る、ワイヤレス通信システム３００−ａの構成を示している。ＰＤＮ接続ＡおよびＰＤＮ接続Ｂは、それぞれのＷＷＡＮおよびＷＬＡＮアクセスネットワーク上で異なるＡＰＮに接続し得る。ｅＮＢ１０５−ａ−２およびＷＬＡＮ  ＡＰ１０５−ｄ−２の各々はＥＰＣ１３０−ａ−１への接続を有し得、ＥＰＣ１３０−ａ−１はＰＤＮ２３５−ａへの接続を有し得る。ワイヤレス通信システム３００−ａ、ＵＥ１１５−ｃ、ｅＮＢ１０５−ａ−２、ＷＬＡＮ  ＡＰ１０５−ｄ−２、ＥＰＣ１３０−ａ−１、およびＰＤＮ２３５は、図１および／または図２に関して説明したそれぞれのワイヤレス通信システム１００または２００、ＵＥ１１５、ｅＮＢ１０５−ａ、ＷＬＡＮ  ＡＰ１０５−ｄ、ＥＰＣ１３０、およびＰＤＮ２３５の１つまたは複数の態様の例であり得る。
【００４７】
[0059]ワイヤレス通信システム３００の動作中のある時点において、トリガリングイベントがＵＥ１１５−ｃのすべてのＰＤＮ接続のすべてのトラフィックをｅＮＢ１０５−ａ−２からＷＬＡＮ  ＡＰ１０５−ｄ−２にオフロードさせ得る。いくつかの場合には、トリガリングイベントは、ＵＥ１１５−ｃのアクセスネットワーク管理モジュールによる、ＷＬＡＮアクセスネットワークがＬＴＥアクセスネットワークよりも選好されるという決定を含み得る。他の場合には、トリガリングイベントは、ＬＴＥアクセスネットワークとのＵＥ１１５−ｃの最後のＰＤＮ接続についてＬＴＥアクセスネットワークによって開始されたＰＤＮ切断プロシージャを含み得る。さらに他の場合には、トリガリングイベントは、ＵＥ１１５−ｃ上で実行しているアプリケーションのアクティビティ（たとえば、要求）でありを含み得、そのアプリケーションは、ＵＥ１１５−ｃに、ＬＴＥ以外のＥＰＣ対応無線アクセス技術（ＲＡＴ）（たとえば、ｅＨＲＰＤ）におけるＵＥ１１５−ｃの最後のＰＤＮ接続についてＰＤＮ切断プロシージャを開始させる。
【００４８】
[0060]図３Ｂは、トリガリングイベントがＵＥ１１５−ｃのすべてのＰＤＮ接続のすべてのトラフィックをｅＮＢ１０５−ａ−２からＷＬＡＮ  ＡＰ１０５−ｄ−２にオフロードさせたことから生じ得る、ワイヤレス通信システム３００−ｂの構成を示す図である。本構成では、ＵＥ１１５−ｃは、ｅＮＢ１０５−ｂ−２とのＰＤＮ接続Ａと、ＷＬＡＮ  ＡＰ１０５−ｄ−２とのＰＤＮ接続Ｂとを有し得る。トリガリングイベントの発生の後に、ＰＤＮ接続Ａおよびそれのトラフィックは、矢印によって示されているようにｅＮＢ１０５−ａ−２からＷＬＡＮ  ＡＰ１０５−ｄ−２にオフロードされ得る。さらに、トリガリングイベントの発生の前または後のいずれかに、ＵＥ１１５−ｃは、ＵＥ１１５−ｃにとって利用可能な非ＬＴＥ  ＷＷＡＮアクセスネットワークを識別（たとえば、ＷＷＡＮをスキャンすることによって検出）し得る。非ＬＴＥ  ＷＷＡＮアクセスネットワークは、図３Ｂでは非ＬＴＥ  ＢＴＳ１０５−ｇによって表されている。例として、非ＬＴＥ  ＢＴＳ１０５−ｇは、図１および／または図２に関して説明したアクセスポイント１０５のうちの１つまたは複数の態様、あるいは図２に関して説明したｅＢＴＳ１０５−ｂ、ｅＡＮ１０５−ｃ、および／またはＢＴＳ１０５−ｆの態様の例であり得る。非ＬＴＥ  ＢＴＳ１０５−ｇは、図３ＢではＥＰＣ１３０−ａ−１との接続を有するものとして示されている。非ＬＴＥ  ＢＴＳが非３ＧＰＰ  ＢＴＳ（たとえば、１ｘ／ＨＲＰＤ  ＢＴＳ１０５−ｆ）である例では、非ＬＴＥ  ＢＴＳは、ＥＰＣ１３０−ａ−１に接続しないことがあり、代わりに、図２に示された１ｘ／ＨＲＰＤコアネットワーク１３０−ｂなどの別個のコアネットワークを通してＰＤＮ２３５−ａのうちの１つまたは複数にアクセスし得る。
【００４９】
[0061]非ＬＴＥ  ＷＷＡＮアクセスネットワークを検出する前または後のいずれかに、ＵＥ１１５−ｃは、ＵＥ１１５−ｃのすべてのＰＤＮ接続のすべてのトラフィックがＷＬＡＮアクセスネットワークに現在オフロードされていると決定し、ＬＴＥアクセスネットワークとのＬＴＥ限定サービスモードに入り得る。ＬＴＥ限定サービスモードにおいて、ＵＥ１１５−ｃは、最も好ましい利用可能な非ＬＴＥ  ＷＷＡＮアクセスネットワークにキャンプオンし得る。ＵＥ１１５−ｃが非ＬＴＥ  ＷＷＡＮアクセスネットワークを取得しなかった場合、ＵＥ１１５−ｃは、利用可能なＬＴＥアクセスネットワークにアタッチすることなしに、それにキャンプオンし得る。すなわち、ＵＥ１１５−ｃは、ＬＴＥアクセスネットワークとのＵＥ１１５−ｃのＰＤＮ接続上でデータを送信および受信するのを控えるとともに、ＬＴＥアクセスネットワークからシステム情報ブロック（ＳＩＢ：system information block）メッセージを受信し得る。代替的に、ＵＥ１１５−ｃは、すべてのＰＤＮ接続のすべてのトラフィックがＷＬＡＮアクセスネットワークに現在オフロードされているという決定に応答して、ＬＴＥを完全にディセーブルにし得る。
【００５０】
[0062]すべてのＰＤＮ接続のすべてのトラフィックがＷＬＡＮアクセスネットワークに現在オフロードされていると決定した後に、ＵＥ１１５−ｃはまた、他の（およびいくつかの場合にはすべての）ＷＷＡＮ  ＰＤＮ接続上でデータを送信および受信するのを控え、すべてのＰＤＮ接続のすべてのトラフィックがＷＬＡＮアクセスネットワークにオフロードされている期間中に、もしあれば、利用可能なＷＷＡＮアクセスネットワークのうちのいずれにＵＥがキャンプオンし得るかを決定し得る。この決定を行うために、ＵＥ１１５−ｃは、ＵＥにとって利用可能な各ＷＷＡＮアクセスネットワークに優先度を割り当て得、ＬＴＥアクセスネットワークは最も好ましくないＷＷＡＮアクセスネットワークである。ＵＥは、最も優先度の高い利用可能なＷＷＡＮアクセスネットワークを識別し、次いで、最も優先度の高い利用可能なＷＷＡＮアクセスネットワークにキャンプオンすべきかどうかを決定し得る。複数の非ＬＴＥ  ＷＷＡＮアクセスネットワークがＵＥ１１５−ｃにとって利用可能である場合、ＵＥ１１５−ｃは、知られているランキングに従って非ＬＴＥ  ＷＷＡＮアクセスネットワークに優先度を付け得る。たとえば、ｅＨＲＰＤ  ＷＷＡＮアクセスネットワークはＧＳＭ  ＷＷＡＮアクセスネットワークよりも高い優先度を有し得、ＧＳＭ  ＷＷＡＮネットワークは１ｘ／ＨＲＰＤまたは１ｘ専用アクセスネットワークよりも高い優先度を有し得る。一方、ＬＴＥアクセスネットワークのみがＵＥ１１５−ｃにとって利用可能である場合、ＵＥ１１５−ｃは、それのＰＤＮ接続からのトラフィックがＷＬＡＮにオフロードされたままである間に、ＬＴＥアクセスネットワークにアタッチすることなしにＬＴＥアクセスネットワークにキャンプオンするか、またはＬＴＥ機能をディセーブルにし得る。
【００５１】
[0063]本例では、ＬＴＥ  ｅＮＢ１０５−ａ−２と非ＬＴＥ  ＢＴＳ１０５−ｇの両方が、ＷＬＡＮ  ＡＰ１０５−ｄ−２へのＵＥ１１５−ｃのすべてのＰＤＮ接続についてのトラフィックのオフローディングの後にＵＥ１１５−ｃにとって利用可能であり得る。ＵＥは、非ＬＴＥ  ＢＴＳ１０５−ｇにｅＮＢ１０５−ａ−１よりも高い優先度を割り当て得る。したがって、ＵＥ１１５−ｃは、すべてのＰＤＮ接続からのトラフィックがＷＬＡＮ  ＡＰ１０５−ｄ−２にオフロードされたままである間に、キャンプオンするために非ＬＴＥ  ＢＴＳ１０５−ｇを選択し得る。
【００５２】
[0064]図３Ｃは、ＵＥ１１５−ｃが、非ＬＴＥ  ＷＷＡＮアクセスネットワークを識別しただけでなく、非ＬＴＥ  ＷＷＡＮアクセスネットワークの非ＬＴＥ  ＢＴＳ１０５−ｇにキャンプオンした後に生じ得る、ワイヤレス通信システム３００−ｃの構成を示す図である。この時点で、ＵＥ１１５−ｃはＬＴＥアクセスネットワークのｅＮＢ１０５−ａ−２から切断し得る。
【００５３】
[0065]例として、２つのＰＤＮ接続（たとえば、ＰＤＮ接続ＡおよびＰＤＮ接続Ｂ）が図３Ａ、図３Ｂ、および図３Ｃの各々に示されている。しかしながら、他の例では、ＷＷＡＮアクセスネットワークからＷＬＡＮアクセスネットワークにオフロードされる任意の数のＰＤＮ接続があり得る。また、ＷＬＡＮアクセスネットワークへのすべてのＰＤＮ接続のすべてのトラフィックのオフロードの前または後のいずれかに、ＷＬＡＮアクセスネットワークとの新しいＰＤＮ接続が確立され得る。
【００５４】
[0066]次に図４Ａを参照すると、図は、ＵＥ１１５−ｄが、ＬＴＥ  ＷＷＡＮアクセスネットワークとの（たとえば、ＬＴＥアクセスネットワークのｅＮＢ１０５−ａ−３を通した）ＰＤＮ接続Ａと、ＷＬＡＮアクセスネットワークとの（たとえば、ＷＬＡＮアクセスネットワークのＷＬＡＮ  ＡＰ１０５−ｄ−３を通した）ＰＤＮ接続Ｂとを有し得る、ワイヤレス通信システム４００−ａの構成を示している。ＰＤＮ接続ＡおよびＰＤＮ接続Ｂは、それぞれのＷＷＡＮおよびＷＬＡＮアクセスネットワーク上で異なるＡＰＮに接続し得る。ｅＮＢ１０５−ａ−３およびＷＬＡＮ  ＡＰ１０５−ｄ−３の各々はＥＰＣ１３０−ａ−２への接続を有し得、ＥＰＣ１３０−ａ−２はＰＤＮ２３５への接続を有し得る。ワイヤレス通信システム、ＵＥ１１５−ｄ、ｅＮＢ１０５−ａ−３、ＷＬＡＮ  ＡＰ１０５−ｄ−３、ＥＰＣ１３０−ａ−２、およびＰＤＮ２３５−ｂは、図１および／または図２に関して説明したそれぞれのワイヤレス通信システム１００または２００、ＵＥ１１５、ｅＮＢ１０５−ａ、ＷＬＡＮ  ＡＰ１０５−ｄ、ＥＰＣ１３０、およびＰＤＮ２３５の１つまたは複数の態様の例であり得る。
【００５５】
[0067]ワイヤレス通信システム４００の動作中のある時点において、トリガリングイベントがＵＥ１１５−ｄのすべてのＰＤＮ接続のすべてのトラフィックをｅＮＢ１０５−ａ−３からＷＬＡＮ  ＡＰ１０５−ｄ−３にオフロードさせ得る。いくつかの場合には、トリガリングイベントは、ＵＥ１１５−ｄのアクセスネットワーク管理モジュールによる、ＷＬＡＮアクセスネットワークがＬＴＥアクセスネットワークよりも選好されるという決定を含み得る。他の場合には、トリガリングイベントは、ＬＴＥアクセスネットワークとのＵＥ１１５−ｃの最後のＰＤＮ接続についてＬＴＥアクセスネットワークによって開始されたＰＤＮ切断プロシージャを含み得る。さらに他の場合には、トリガリングイベントは、ＵＥ１１５−ｄ上で実行しているアプリケーションのアクティビティ（たとえば、要求）を含み得、そのアプリケーションは、ＵＥ１１５−ｄに、ＬＴＥ以外のＥＰＣ対応無線アクセス技術（ＲＡＴ）（たとえば、ｅＨＲＰＤ）上でのＵＥ１１５−ｄの最後のＰＤＮ接続についてＰＤＮ切断プロシージャを開始させる。
【００５６】
[0068]図４Ｂは、トリガリングイベントがＵＥ１１５−ｄのすべてのＰＤＮ接続のすべてのトラフィックをｅＮＢ１０５−ａ−３からＷＬＡＮ  ＡＰ１０５−ｄ−３にオフロードさせることから生じ得る、ワイヤレス通信システム４００−ｂの構成を示す図である。本構成では、ＵＥ１１５−ｄは、ｅＮＢ１０５−ａ−３とのＰＤＮ接続Ａと、ＷＬＡＮ  ＡＰ１０５−ｄ−３とのＰＤＮ接続Ｂとを有し得る。トリガリングイベントの発生の後に、ＰＤＮ接続Ａおよびそれのトラフィックは、矢印によって示されているようにｅＮＢ１０５−ａ−３からＷＬＡＮ  ＡＰ１０５−ｄ−３にオフロードされ得る。さらに、トリガリングイベントの発生の前または後のいずれかに、ＵＥ１１５−ｄは、ＵＥ１１５−ｄにとって利用可能な非ＬＴＥ  ＷＷＡＮアクセスネットワークを識別（たとえば、ＷＷＡＮをスキャンすることによって検出）することを試み得る。しかしながら、図示の例では、そのような非ＬＴＥ  ＷＷＡＮアクセスネットワークは識別されない。
【００５７】
[0069]非ＬＴＥ  ＷＷＡＮアクセスネットワークを識別することを試みる前または後のいずれかに、ＵＥ１１５−ｄは、ＵＥ１１５−ｄのすべてのＰＤＮ接続のすべてのトラフィックがＷＬＡＮアクセスネットワークに現在オフロードされていると決定し、ＬＴＥアクセスネットワークとのＬＴＥ限定サービスモードに入り得る。ＬＴＥ限定サービスモードにおいて、ＵＥ１１５−ｄは、ＬＴＥアクセスネットワークとのＵＥ１１５−ｄのＰＤＮ接続上でデータを送信および受信するのを控えるとともに、ＬＴＥアクセスネットワークからシステム情報ブロック（ＳＩＢ）メッセージを受信し得る。代替的に、ＵＥ１１５−ｄはＬＴＥ機能を完全にディセーブルにし得る。すべてのＰＤＮ接続のすべてのトラフィックがＷＬＡＮアクセスネットワークに現在オフロードされていると決定した後に、ＵＥ１１５−ｄはまた、他の（およびいくつかの場合にはすべての）ＷＷＡＮ  ＰＤＮ接続上でデータを送信および受信するのを控え得る。
【００５８】
[0070]図４Ｃは、ＵＥ１１５−ｄが非ＬＴＥ  ＷＷＡＮアクセスネットワークを識別することに失敗した後に生じ得る、ワイヤレス通信システム４００−ｃの構成を示す図である。ＵＥ１１５−ｄが非ＬＴＥ  ＷＷＡＮアクセスネットワークを識別することに失敗したので、ＵＥ１１５−ｄは、ＬＴＥアクセスネットワークにアタッチすることなしにＬＴＥアクセスネットワークのｅＮＢ１０５−ａ−３にキャンプオンされたままであり得る。代替的に、ＵＥ１１５−ｄは、すべてのＰＤＮ接続からのすべてのトラフィックがＷＬＡＮアクセスネットワークにオフロードされたままである間に、ＬＴＥ機能を完全にディセーブルにし、ｅＮＢ１０５−ａ−３から切断し得る。
【００５９】
[0071]例として、２つのＰＤＮ接続（たとえば、ＰＤＮ接続ＡおよびＰＤＮ接続Ｂ）が図４Ａ、図４Ｂ、および図４Ｃの各々に示されている。しかしながら、他の例では、ＷＷＡＮアクセスネットワークからＷＬＡＮアクセスネットワークにオフロードされる任意の数のＰＤＮ接続があり得る。また、ＷＬＡＮアクセスネットワークへのすべてのＰＤＮ接続のすべてのトラフィックのオフロードの前または後のいずれかに、ＷＬＡＮアクセスネットワークとの新しいＰＤＮ接続が確立され得る。
【００６０】
[0072]図５Ａ、図５Ｂ、図５Ｃ、図６Ａ、図６Ｂ、図６Ｃ、図７Ａ、図７Ｂ、図７Ｃ、図８Ａ、図８Ｂ、および図８Ｃは、ＵＥ１１５のＰＤＮ接続のうちのいくつかまたはすべてのトラフィックが、ＵＥ１１５におけるトリガリングイベントの後にＷＷＡＮアクセスネットワークにどのように転送され得るかの例を与える。より詳細には、図５Ａ、図５Ｂ、および図５Ｃは、ＵＥ１１５−ｅのＰＤＮ接続のトラフィックが、（非ＬＴＥ  ＢＴＳ１０５−ｇ−１によって表される）非ＬＴＥ  ＷＷＡＮアクセスネットワークとのいくつかのＰＤＮ接続を最初に確立した後に、（ｅＮＢ１０５−ａ−４によって表される）ＬＴＥアクセスネットワークにまた転送され得る、例を示している。図６Ａ、図６Ｂ、および図６Ｃは、ＵＥ１１５−ｆが限定サービスモードでＬＴＥ  ＷＷＡＮアクセスネットワークにキャンプオンされたままであった場合に、ＵＥ１１５−ｆのＰＤＮ接続のトラフィックがＬＴＥアクセスネットワークにまた転送され得る、例を示している。図７Ａ、図７Ｂ、および図７Ｃは、（ｅＮＢ１０５−ａ−６によって表される）ＬＴＥアクセスネットワークとのすべてのＰＤＮ接続のトラフィックがＬＴＥアクセスネットワークからオフロードされた後に、（非ＬＴＥ  ＢＴＳ１０５−ｇ−２によって表される）非ＬＴＥ  ＷＷＡＮアクセスネットワークとのＰＤＮ接続が確立され得、新しいＰＤＮ接続のトラフィックがＬＴＥアクセスネットワークにその後転送され得る、例を示している。図８Ａ、図８Ｂ、および図８Ｃは、（ｅＮＢ１０５−ａ−７によって表される）ＬＴＥアクセスネットワークとのすべてのＰＤＮ接続のトラフィックがＬＴＥアクセスネットワークからオフロードされた後に、（ＷＬＡＮ  ＡＰ１０５−ｄ−７によって表される）ＷＬＡＮアクセスネットワークとのＰＤＮ接続が確立され得、新しいＰＤＮ接続のトラフィックがＬＴＥアクセスネットワークにその後転送され得る、例を示している。
【００６１】
[0073]次に図５Ａを参照すると、図は、ＵＥ１１５−ｅのすべてのＰＤＮ接続のすべてのトラフィックが、ＷＬＡＮ  ＡＰ１０５−ｄ−４によって表されるＷＬＡＮアクセスネットワークにオフロードされた、ワイヤレス通信システム５００−ａの構成を示している。ＵＥ１１５−ｅは、ＷＬＡＮアクセスネットワークとのＰＤＮ接続ＡとＰＤＮ接続Ｂとを有し得る。同時に、ＵＥ１１５−ｅは、１つまたは複数のＷＷＡＮアクセスネットワークの範囲内に（たとえば、ＬＴＥアクセスネットワークのｅＮＢ１０５−ａ−４の範囲内に、および／またはＥＰＣ対応非ＬＴＥ  ＷＷＡＮアクセスネットワークの非ＬＴＥ  ＢＴＳ１０５−ｇ−１の範囲内に）あり得る。説明の目的で、ＵＥ１１５−ｅは、ｅＮＢ１０５−ａ−４から切断されているが、非ＬＴＥ  ＢＴＳ１０５−ｇ−１にキャンプオンされていることがある。ｅＮＢ１０５−ａ−４、ＷＬＡＮ  ＡＰ１０５−ｄ−４、およびＥＰＣ対応非ＬＴＥ  ＢＴＳ１０５−ｇ−１の各々はＥＰＣ１３０−ａ−３への接続を有し得、ＥＰＣ１３０−ａ−３はＰＤＮ２３５−ｃへの接続を有し得る。ワイヤレス通信システム、ＵＥ１１５−ｅ、ｅＮＢ１０５−ａ−４、ＷＬＡＮ  ＡＰ１０５−ｄ−４、ＥＰＣ１３０−ａ−３、およびＰＤＮ２３５−ｃは、図１、図２、図３Ａ、図３Ｂ、図３Ｃ、図４Ａ、図４Ｂ、および／または図４Ｃに関して説明したそれぞれのワイヤレス通信システム１００または２００、ＵＥ１１５、ｅＮＢ１０５−ａ、ＷＬＡＮ  ＡＰ１０５−ｄ、ＥＰＣ１３０、およびＰＤＮ２３５の１つまたは複数の態様の例であり得る。例として、非ＬＴＥ  ＢＴＳ１０５−ｇ−１は、図１および／または図２に関して説明した基地局１０５のうちの１つまたは複数の態様、あるいは図２に関して説明したｅＢＴＳ１０５−ｂおよび／またはＢＴＳ１０５−ｃの態様の例であり得る。
【００６２】
[0074]ワイヤレス通信システム５００の動作中のある時点において、ＵＥ１１５−ｅは、ＵＥ１１５−ｅに、ＵＥ１１５−ｅの現在のＷＷＡＮキャンピングステータスとＷＬＡＮオフロードポリシーとに従って、利用可能なＷＷＡＮアクセスネットワークとのＰＤＮ接続を確立させるトリガリングイベントを検出し得る。図５Ａに示された例では、ＵＥ１１５−ｅのキャンピングステータスは、ｅＮＢ１０５−ａ−４については「キャンピングされていない」であり、非ＬＴＥ  ＢＴＳ１０５−ｇ−１については「キャンピングされている」である。いくつかの場合には、トリガリングイベントは、（たとえば、ＷＬＡＮアクセスが許容できないレベルまで劣化したので、アプリケーションが、ＷＷＡＮに対して既存のＰＤＮ接続のハンドオーバを行うように要求したので、または、たとえば、ＲＡＴの状態が変化したのでＷＷＡＮがＷＬＡＮよりも好ましいとＵＥのアクセスネットワーク管理モジュール（たとえば、図１１のモジュール１１３０）が決定したので）ＷＬＡＮアクセスネットワークから利用可能なＷＷＡＮアクセスネットワークに既存のＰＤＮ接続を転送するという決定を含み得る。
【００６３】
[0075]図５Ｂは、ＵＥ１１５−ｅに、ＵＥ１１５−ｅの現在のＷＷＡＮキャンピングステータスとＷＬＡＮオフロードポリシーとに従って、利用可能なＷＷＡＮアクセスネットワークとのＰＤＮ接続を確立させるトリガリングイベントから生じ得る、ワイヤレス通信システム５００−ｂの構成を示す図である。本構成では、トリガリングイベントの発生の前または後に、ＵＥ１１５−ｅは、ＵＥ１１５−ｅが、ＷＷＡＮ  ＰＤＮ接続上でデータを送信および受信するのを控えるとともに、ＥＰＣ対応非ＬＴＥ  ＷＷＡＮアクセスネットワークにキャンプオンされると決定し得る。次いで、トリガリングイベントに応答して、ＵＥ１１５−ｅは、矢印によって示されているように、それの既存のＰＤＮ接続のうちの１つまたは複数（たとえば、ＰＤＮ接続ＡおよびＰＤＮ接続Ｂ）をＥＰＣ対応非ＬＴＥ  ＷＷＡＮアクセスネットワークに（たとえば、ＥＰＣ対応非ＬＴＥ  ＷＷＡＮアクセスネットワークの非ＬＴＥ  ＢＴＳ１０５−ｇ−１に）転送することを試み得る。ＰＤＮ接続の転送の前または後に、またトリガリングイベントに応答して、ＵＥ１１５−ｅは、ＬＴＥ機能をイネーブルにすること、またはそれ自体をＬＴＥ通常モードに入れることのうちの少なくとも１つを実行し得る。ＬＴＥ機能をイネーブルにした後に、ＵＥ１１５−ｅは、ＬＴＥアクセスネットワーク（たとえば、ｅＮＢ１０５−ａ−４）をスキャンし、それにアタッチすることを試み得る。
【００６４】
[0076]図５Ｃは、ＵＥ１１５−ｅが、それ自体をＬＴＥ通常モードに入れ、ＬＴＥアクセスネットワークにアタッチ（すなわち、ＬＴＥサービスを取得）したことから生じ得る、ワイヤレス通信システム５００−ｃの構成を示す図である。ＬＴＥアクセスネットワークにアタッチした後に、ＵＥ１１５−ｅは、（非ＬＴＥ  ＢＴＳ１０５−ｇ−１によって表される）ＥＰＣ対応非ＬＴＥ  ＷＷＡＮアクセスネットワークから（ｅＮＢ１０５−ａ−３によって表される）ＬＴＥアクセスネットワークにそれの既存のＰＤＮ接続のうちの１つまたは複数（図示の例ではＰＤＮ接続ＡとＰＤＮ接続Ｂの両方）を転送することを試み得る。
【００６５】
[0077]図５Ｂおよび図５Ｃに関して説明した動作は、ＥＰＣ対応非ＬＴＥ  ＷＷＡＮアクセスネットワークの非ＬＴＥ  ＢＴＳ１０５−ｇ−１と通信しているＵＥ１１５−ｅに特に適用可能である。代替実施形態では、非ＬＴＥ  ＢＴＳは非ＥＰＣ対応非ＬＴＥ  ＷＷＡＮアクセスネットワークに属し得る（たとえば、非ＬＴＥ  ＢＴＳは、１ｘ／ＨＲＰＤ  ＢＴＳ１０５−ｆまたは１ｘ専用ＢＴＳなどの非３ＧＰＰ  ＢＴＳであり得る）。これらの実施形態では、非ＬＴＥ  ＢＴＳは、ＥＰＣ１３０−ａ−３に接続しないことがあるが、代わりに、図２に関して説明した１ｘ／ＨＲＰＤコアネットワーク１３０−ｂなどの別個のコアネットワークを通してＰＤＮ２３５−ｃのうちの１つまたは複数にアクセスし得る。これらの実施形態では、ＵＥ１１５−ｅは、トリガリングイベントに応答して、ＬＴＥ機能をイネーブルにすること、またはＵＥ１１５−ｅをＬＴＥ通常モードに入れることのうちの少なくとも１つを実行し得る。ＵＥ１１５−ｅが、ＬＴＥアクセスネットワークにアタッチしたこと、またはＬＴＥ通常モードに入ったことに応答して、ＵＥ１１５−ｅは、ＷＬＡＮアクセスネットワークからＬＴＥアクセスネットワークにそれの既存のＰＤＮ接続のうちの１つまたは複数（たとえば、ＰＤＮ接続Ａおよび／またはＰＤＮ接続Ｂ）を転送することを試み得る。いくつかの例では、ＵＥの状態は、ＵＥがＬＴＥアクセスネットワークにアタッチするより前に、（１つまたは複数の）ＰＤＮ接続を転送することの試みをトリガする条件がもはや満たされないように変化し得る。そのような例では、ＵＥは、（１つまたは複数の）ＰＤＮ接続をＬＴＥアクセスネットワークに転送することなしに、ＬＴＥ限定サービスモードに戻るか、またはＬＴＥ機能をディセーブルにし得る。
【００６６】
[0078]例として、２つのＰＤＮ接続（たとえば、ＰＤＮ接続ＡおよびＰＤＮ接続Ｂ）が図５Ａ、図５Ｂ、および図５Ｃの各々に示されている。しかしながら、他の例では、アクセスネットワーク間で転送される任意の数のＰＤＮ接続があり得る。
【００６７】
[0079]次に図６Ａを参照すると、図は、ＵＥ１１５−ｆのすべてのＰＤＮ接続のすべてのトラフィックが（ＷＬＡＮアクセスネットワークのＷＬＡＮ  ＡＰ１０５−ｄ−５によって表される）ＷＬＡＮアクセスネットワークにオフロードされた、ワイヤレス通信システム６００−ａの構成を示している。ＵＥ１１５−ｆは、ＷＬＡＮアクセスネットワークとのＰＤＮ接続ＡとＰＤＮ接続Ｂとを有し得る。同時に、ＵＥ１１５−ｆは、ＰＤＮ接続のトラフィックがオフロードされたままである間に、限定サービスモードで（ｅＮＢ１０５−ａ−５によって表される）ＬＴＥアクセスネットワークにキャンプオンされるか、またはＬＴＥ機能をディセーブルにしていることがある。ｅＮＢ１０５−ａ−５およびＷＬＡＮ  ＡＰ１０５−ｄ−５の各々はＥＰＣ１３０−ａ−４への接続を有し得、ＥＰＣ１３０−ａ−４はＰＤＮ２３５−ｄへの接続を有し得る。ワイヤレス通信システム６００、ＵＥ１１５−ｆ、ｅＮＢ１０５−ａ−５、ＷＬＡＮ  ＡＰ１０５−ｄ−５、ＥＰＣ１３０−ａ−４、およびＰＤＮ２３５−ｄは、図１、図２、図３Ａ、図３Ｂ、図３Ｃ、図４Ａ、図４Ｂ、および／または図４Ｃに関して説明したそれぞれのワイヤレス通信システム１００または２００、ＵＥ１１５、ｅＮＢ１０５−ａ、ＷＬＡＮ  ＡＰ１０５−ｄ、ＥＰＣ１３０、およびＰＤＮ２３５の１つまたは複数の態様の例であり得る。
【００６８】
[0080]ワイヤレス通信システムの動作中のある時点において、ＵＥ１１５−ｆは、ＵＥ１１５−ｆに、ＵＥ１１５−ｆの現在のＷＷＡＮキャンピングステータスとＷＬＡＮオフロードポリシーとに従って、利用可能なＷＷＡＮアクセスネットワークとのＰＤＮ接続を確立させるトリガリングイベントを検出し得る。いくつかの場合には、トリガリングイベントは、（たとえば、ＷＬＡＮアクセスが許容できないレベルまで劣化したので；アプリケーションが、ＷＷＡＮに対して既存のＰＤＮ接続のハンドオーバを行うように要求したので；または、たとえば、ＲＡＴの状態が変化したのでＷＷＡＮがＷＬＡＮよりも好ましいとＵＥのアクセスネットワーク管理モジュール（たとえば、図１１のモジュール１１３０）が決定したので）ＷＬＡＮアクセスネットワークから利用可能なＷＷＡＮアクセスネットワークに既存のＰＤＮ接続を転送するという決定を含み得る。他の場合には、トリガリングイベントは、ＵＥ１１５−ｆにおいて受信された、ＷＷＡＮアクセスネットワークのみによってサポートされる新しいデータ接続を確立するようにとの要求を含み得る。さらに他の場合には、トリガリングイベントは、ＷＷＡＮがＷＬＡＮよりも高い優先度をそれについて有する新しいＰＤＮ接続を確立するようにとのアプリケーション要求を含み得る。
【００６９】
[0081]トリガリングイベントの発生の前または後に、ＵＥ１１５−ｆは、それが、限定サービスモードでＬＴＥアクセスネットワークにキャンプオンされており、ＷＷＡＮ  ＰＤＮ接続上でデータを送信および受信するのを控えていると決定し得る。代替的に、ＵＥ１１５−ｆは、それが、ＷＷＡＮ  ＰＤＮ接続上でデータを送信および受信するのを控えている間、それが、ＬＴＥ機能をディセーブルにしており、ＷＷＡＮアクセスネットワークにキャンプオンしていないと決定し得る。ＵＥ１１５−ｆは、トリガリングイベントに応答して、ＬＴＥ機能をイネーブルにし、および／またはそれ自体をＬＴＥ通常モードに入れ得る。ＬＴＥ通常モードにおいて、ＵＥ１１５−ｆは、（たとえば、ｅＮＢ１０５−ａ−５を介して）ＬＴＥアクセスネットワークをスキャンし、それにアタッチすることを試み得る。あるいは、ＵＥ１１５−ｆが（たとえば、ＬＴＥ限定サービスモードで）ＬＴＥアクセスネットワークにすでにキャンプオンされている場合、ＵＥ１１５−ｆは、ＬＴＥアクセスネットワークにアタッチするためにＬＴＥアクセスネットワーク上でのデータの送信および受信を単にイネーブルにし得る。ＵＥ１１５−ｆがトリガリングイベントより前にＬＴＥ機能をディセーブルにした場合、ＵＥ１１５−ｆは、しきい値時間量の間にＬＴＥアクセスネットワークにアタッチすることのみを試み得る。ＵＥ１１５−ｆがしきい値時間量内にＬＴＥアクセスネットワークにアタッチしなかった場合、失敗が戻され得る（たとえば、アプリケーションが新しいＰＤＮ接続を要求した場合、失敗がアプリケーションに戻され得る）。
【００７０】
[0082]図６Ｂは、ＵＥ１１５−ｆが、それ自体をＬＴＥ通常モードに入れ、ＬＴＥアクセスネットワークにアタッチ（すなわち、ＬＴＥサービスを取得）したことから生じ得る、ワイヤレス通信システム６００−ｂの構成を示す図である。ＬＴＥアクセスネットワークにアタッチしたことに応答して、および、たとえば、トリガリングイベントが、ＷＬＡＮアクセスネットワークから利用可能なＷＷＡＮアクセスネットワークに既存のＰＤＮ接続を転送するという決定を含むと仮定すると、ＵＥ１１５−ｆは、ＷＬＡＮアクセスネットワークから（たとえば、ＷＬＡＮ  ＡＰ１０５−ｄ−５から）ＬＴＥアクセスネットワークに（たとえば、ｅＮＢ１０５−ａ−５に）それの既存のＰＤＮ接続のうちの１つまたは複数（矢印によって示されているように図示の例ではＰＤＮ接続ＡとＰＤＮ接続Ｂの両方）を転送することを試み得る。転送が成功したと決定すると、ＵＥ１１５−ｅは、ＷＬＡＮ  ＡＰ１０５−ｄ−５上でのデータ接続を解放し得る。
【００７１】
[0083]図６Ｃは、ＵＥ１１５−ｆが、それ自体をＬＴＥ通常モードに入れ、ＬＴＥアクセスネットワークにアタッチ（すなわち、ＬＴＥサービスを取得）することから生じ得る、ワイヤレス通信システム６００−ｃの別の構成を示す図である。ＬＴＥアクセスネットワークにアタッチしたことに応答して、および、たとえば、トリガリングイベントが、１）ＵＥ１１５−ｆにおいて受信された、ＷＷＡＮアクセスネットワークのみによってサポートされる新しいデータ接続を確立するようにとの要求、または２）ＷＷＡＮがＷＬＡＮよりも高い優先度をそれについて有する新しいＰＤＮ接続を確立するようにとのアプリケーション要求を含むと仮定すると、ＵＥ１１５−ｆはＬＴＥアクセスネットワークとの新しいＰＤＮ接続Ｃを確立し得る。いくつかの場合には、ＵＥの既存の接続のうちの１つまたは複数（たとえば、ＰＤＮ接続ＡまたはＰＤＮ接続Ｂ）がＬＴＥアクセスネットワークに転送され得る。ＷＬＡＮ  ＡＰ１０５−ｄ−５とのＰＤＮ接続上のトラフィックのすべてがＬＴＥアクセスネットワークに転送された場合、ＵＥ１１５−ｆはＷＬＡＮ  ＡＰ１０５−ｄ−５上でのデータ接続を解放し得る。
【００７２】
[0084]例として、２つまたは３つのＰＤＮ接続（たとえば、ＰＤＮ接続Ａ、ＰＤＮ接続Ｂ、および／または新しいＰＤＮ接続Ｃ）が図６Ａ、図６Ｂ、および図６Ｃの各々に示されている。しかしながら、他の例では、アクセスネットワーク間で転送されるかまたはそれと確立される、任意の数のＰＤＮ接続があり得る。
【００７３】
[0085]次に図７Ａを参照すると、図は、ＵＥ１１５−ｇのすべてのＰＤＮ接続のすべてのトラフィックが（ＷＬＡＮアクセスネットワークのＷＬＡＮ  ＡＰ１０５−ｄ−６によって表される）ＷＬＡＮアクセスネットワークにオフロードされた、ワイヤレス通信システム７００−ａの構成を示している。ＵＥ１１５−ｇは、ＷＬＡＮアクセスネットワークとのＰＤＮ接続ＡとＰＤＮ接続Ｂとを有し得る。同時に、ＵＥ１１５−ｇは、１つまたは複数のＥＰＣ対応ＷＷＡＮアクセスネットワークの範囲内に（たとえば、ＬＴＥアクセスネットワークのｅＮＢ１０５−ａ−６の範囲内に、および／または、ｅＨＲＰＤまたはＧＳＭ  ＷＷＡＮアクセスネットワークの非ＬＴＥ  ＢＴＳ１０５−ｇ−２の範囲内に）あり得る。説明の目的で、ＵＥ１１５−ｇは、ｅＮＢ１０５−ａ−６から切断されているが、非ＬＴＥ  ＢＴＳ１０５−ｇ−２にキャンプオンされ得る。ｅＮＢ１０５−ａ−６、ＷＬＡＮ  ＡＰ１０５−ｄ−６、および非ＬＴＥ  ＢＴＳ１０５−ｇ−２の各々はＥＰＣ１３０−ａへの接続を有し得、ＥＰＣ１３０−ａはＰＤＮ２３５への接続を有し得る。ワイヤレス通信システム、ＵＥ１１５−ｇ、ｅＮＢ１０５−ａ−６、ＷＬＡＮ  ＡＰ１０５−ｄ−６、ＥＰＣ１３０−ａ−５、およびＰＤＮ２３５−ｅは、図１、図２、図３Ａ、図３Ｂ、図３Ｃ、図４Ａ、図４Ｂ、および／または図４Ｃに関して説明したそれぞれのワイヤレス通信システム１００または２００、ＵＥ１１５、ｅＮＢ１０５−ａ、ＷＬＡＮ  ＡＰ１０５−ｄ、ＥＰＣ１３０、およびＰＤＮ２３５の１つまたは複数の態様の例であり得る。例として、非ＬＴＥ  ＢＴＳ１０５−ｇは、図１および／または図２に関して説明した基地局１０５のうちの１つまたは複数の態様、あるいは図２に関して説明したｅＢＴＳ１０５−ｂおよび／またはＢＴＳ１０５−ｃの態様の例であり得る。
【００７４】
[0086]ワイヤレス通信システムの動作中のある時点において、ＵＥ１１５−ｇは、ＵＥ１１５−ｇに、ＵＥ１１５−ｇの現在のＷＷＡＮキャンピングステータスとＷＬＡＮオフロードポリシーとに従って、利用可能なＷＷＡＮアクセスネットワークとのＰＤＮ接続を確立させるトリガリングイベントを検出し得る。図７Ａに示された例では、ＵＥ１１５−ｇのキャンピングステータスは、ｅＮＢ１０５−ａ−６については「キャンピングされていない」であり、非ＬＴＥ  ＢＴＳ１０５−ｇ−２については「キャンピングされている」である。いくつかの場合には、トリガリングイベントは、ＵＥ１１５−ｇにおいて受信された、ＷＷＡＮアクセスネットワークのみによってサポートされる新しいデータ接続を確立するようにとの要求を含み得る。他の場合には、トリガリングイベントは、ＷＷＡＮがＷＬＡＮよりも高い優先度をそれについて有する新しいＰＤＮ接続を確立するようにとのアプリケーション要求を含み得る。
【００７５】
[0087]図７Ｂは、ＵＥ１１５−ｇに、ＵＥ１１５−ｇの現在のＷＷＡＮキャンピングステータスとＷＬＡＮオフロードポリシーとに従って、利用可能なＷＷＡＮアクセスネットワークとのＰＤＮ接続を確立させるトリガリングイベントから生じ得る、ワイヤレス通信システム７００−ｂの構成を示す図である。本ワイヤレス通信システム構成では、トリガリングイベントの発生の前または後に、ＵＥ１１５−ｇは、ＵＥ１１５−ｇが、ＷＷＡＮ  ＰＤＮ接続上でデータを送信および受信するのを控えるとともに、ＥＰＣ対応非ＬＴＥ  ＷＷＡＮアクセスネットワークにキャンプオンされていると決定し得る。次いで、トリガリングイベントに応答して、ＵＥ１１５−ｇは、ＥＰＣ対応非ＬＴＥ  ＷＷＡＮアクセスネットワークとの新しいＰＤＮ接続Ｃを確立し得る。新しいＰＤＮ接続Ｃの確立の前または後に、またトリガリングイベントに応答して、ＵＥ１１５−ｇは、ＬＴＥ機能をイネーブルにすること、またはそれ自体をＬＴＥ通常モードに入れることのうちの少なくとも１つを実行し得る。ＬＴＥ機能をイネーブルにした後に、ＵＥ１１５−ｇは、ＬＴＥアクセスネットワーク（たとえば、ｅＮＢ１０５−ａ−６）をスキャンし、それにアタッチすることを試み得る。
【００７６】
[0088]図７Ｃは、ＵＥ１１５−ｇが、ＬＴＥをイネーブルにし、および／またはそれ自体をＬＴＥ通常モードに入れ、ＬＴＥアクセスネットワークにアタッチ（すなわち、ＬＴＥサービスを取得）することから生じ得る、ワイヤレス通信システム７００−ｃの構成を示す図である。ＬＴＥアクセスネットワークにアタッチした後に、ＵＥ１１５−ｇは、矢印によって示されているように、（非ＬＴＥ  ＢＴＳ１０５−ｇ−２によって表される）ＥＰＣ対応非ＬＴＥ  ＷＷＡＮアクセスネットワークから（ｅＮＢ１０５−ａ−６によって表される）ＬＴＥアクセスネットワークに新しいＰＤＮ接続Ｃを転送することを試み得る。
【００７７】
[0089]例として、２つまたは３つのＰＤＮ接続（たとえば、ＰＤＮ接続Ａ、ＰＤＮ接続Ｂ、および／または新しいＰＤＮ接続Ｃ）が図７Ａ、図７Ｂ、および図７Ｃの各々に示されている。しかしながら、他の例では、アクセスネットワーク間で転送されるかまたはそれと確立される、任意の数のＰＤＮ接続があり得る。
【００７８】
[0090]次に図８Ａを参照すると、図は、ＵＥ１１５−ｈのすべてのＰＤＮ接続のすべてのトラフィックが（ＷＬＡＮアクセスネットワークのＷＬＡＮ  ＡＰ１０５−ｄ−７によって表される）ＷＬＡＮアクセスネットワークにオフロードされた、ワイヤレス通信システム８００−ａの構成を示している。ＵＥ１１５−ｈは、ＷＬＡＮアクセスネットワークとのＰＤＮ接続ＡとＰＤＮ接続Ｂとを有し得る。同時に、ＵＥ１１５−ｈは、１つまたは複数のＷＷＡＮアクセスネットワークの範囲内に（たとえば、ＬＴＥアクセスネットワークのｅＮＢ１０５−ａ−７の範囲内に、および／または非ＥＰＣ対応非ＬＴＥ  ＷＷＡＮアクセスネットワークの１ｘ／ＨＲＰＤ  ＢＴＳ１０５−ｅ−１の範囲内に）あり得る。説明の目的で、ＵＥ１１５−ｈは、ｅＮＢ１０５−ａ−７から切断されているが、１ｘ／ＨＲＰＤ  ＢＴＳ１０５−ｅ−１にキャンプオンされていることがある。ｅＮＢ１０５−ａ−７およびＷＬＡＮ  ＡＰ１０５−ｄ−７の各々はＥＰＣ１３０−ａ−６への接続を有し得、ＥＰＣ１３０−ａ−６はＰＤＮ２３５−ｆへの接続を有し得る。１ｘ／ＨＲＰＤ  ＢＴＳ１０５−ｅ−１は１ｘ／ＨＲＰＤコア１３０−ｂ−１への接続を有し得、１ｘ／ＨＲＰＤコア１３０−ｂ−１はＰＤＮ２３５−ｆへの接続を有し得る。ワイヤレス通信システム、ＵＥ１１５−ｈ、ｅＮＢ１０５−ａ−７、ＷＬＡＮ  ＡＰ１０５−ｄ−７、ＥＰＣ１３０−ａ−６、およびＰＤＮ２３５−ｆは、図１、図２、図３Ａ、図３Ｂ、図３Ｃ、図４Ａ、図４Ｂ、および／または図４Ｃに関して説明したそれぞれのワイヤレス通信システム１００または２００、ＵＥ１１５、ｅＮＢ１０５−ａ、ＷＬＡＮ  ＡＰ１０５−ｄ、ＥＰＣ１３０、およびＰＤＮ２３５の１つまたは複数の態様の例であり得る。例として、１ｘ／ＨＲＰＤ  ＢＴＳ１０５−ｅ−１は、図１および／または図２に関して説明したアクセスポイント１０５のうちの１つまたは複数の態様、あるいは図２に関して説明したＢＴＳ１０５−ｅの態様の例であり得る。
【００７９】
[0091]ワイヤレス通信システムの動作中のある時点において、ＵＥ１１５ｈは、ＵＥ１１５−ｈに、ＵＥ１１５−ｈの現在のＷＷＡＮキャンピングステータスとＷＬＡＮオフロードポリシーとに従って、利用可能なＷＷＡＮアクセスネットワークとのＰＤＮ接続を確立させるトリガリングイベントを検出し得る。図８Ａに示された例では、ＵＥ１１５−ｈのキャンピングステータスは、ｅＮＢ１０５−ａ−７については「キャンピングされていない」であり、１ｘ／ＨＲＰＤ  ＢＴＳ１０５−ｅ−１については「キャンピングされている」である。いくつかの場合には、トリガリングイベントは、ＷＷＡＮがＷＬＡＮよりも高い優先度をそれについて有する新しいＰＤＮ接続を確立するようにとのアプリケーション要求を含み得る。
【００８０】
[0092]図８Ｂは、ＵＥ１１５−ｈに、ＵＥ１１５−ｈの現在のＷＷＡＮキャンピングステータスとＷＬＡＮオフロードポリシーとに従って、ＷＬＡＮアクセスネットワークとのＰＤＮ接続を確立させるトリガリングイベントから生じ得る、ワイヤレス通信システム８００−ｂの構成を示す図である。本ワイヤレス通信システム構成では、トリガリングイベントの発生の前または後に、ＵＥ１１５−ｇは、それが、ＷＷＡＮ  ＰＤＮ接続上でデータを送信および受信するのを控えるとともに、非ＥＰＣ対応非ＬＴＥ  ＷＷＡＮアクセスネットワークにキャンプオンされていると決定し得る。次いで、トリガリングイベントに応答して、ＵＥ１１５−ｈは、ＷＬＡＮアクセスネットワークとの（たとえば、ＷＬＡＮ  ＡＰ１０５−ｄ−７との）新しいＰＤＮ接続Ｃを確立し得る。新しいＰＤＮ接続Ｃの確立の前または後に、またトリガリングイベントに応答して、ＵＥ１１５−ｈは、ＬＴＥ機能をイネーブルにすること、またはそれ自体をＬＴＥ通常モードに入れることのうちの少なくとも１つを実行し得る。ＬＴＥ機能をイネーブルにした後に、ＵＥ１１５−ｈは、ＬＴＥアクセスネットワーク（たとえば、ｅＮＢ１０５−ａ−７）をスキャンし、それにアタッチすることを試み得る。ＬＴＥアクセスネットワークにアタッチすると、ＵＥ１１５−ｈは１ｘ／ＨＲＰＤ  ＢＴＳ１０５−ｅ−１から切断し得る。
【００８１】
[0093]図８Ｃは、ＵＥ１１５−ｈが、ＬＴＥをイネーブルにし、および／またはそれ自体をＬＴＥ通常モードに入れ、ＬＴＥアクセスネットワークにアタッチ（すなわち、ＬＴＥサービスを取得）したことから生じ得る、ワイヤレス通信システム８００−ｃの構成を示す図である。ＬＴＥアクセスネットワークにアタッチした後に、ＵＥ１１５−ｈは、（ＷＬＡＮ  ＡＰ１０５−ｄ−７によって表される）ＷＬＡＮアクセスネットワークから（ｅＮＢ１０５−ａ−７によって表される）ＬＴＥアクセスネットワークに新しいＰＤＮ接続Ｃを転送することを試み得る。
【００８２】
[0094]追加または代替の例では、トリガリングイベントは、ＷＷＡＮ上でのみ確立され得る新しいＰＤＮ接続（たとえば、キャリア固有サービスに関連付けられたＰＤＮ接続）を確立することに関連付けられ得る。そのような例では、ＵＥは、１ｘ／ＨＲＰＤ  ＢＴＳ１０５−ｅ−１上でデータ接続性を確立し、ＬＴＥ機能をイネーブルにし、および／またはＵＥをＬＴＥ通常モードに戻し得る。ＵＥが、その後、ｅＮＢ１０５−ａ−７を介してＬＴＥアクセスネットワークを取得し、それにアタッチした場合、ＵＥは、１ｘ／ＨＲＰＤ上で確立されたデータ接続をティアダウンし、ＬＴＥ上で新しいＰＤＮ接続を確立し得る。いくつかの例では、トリガリングイベントに関連付けられた新しいＰＤＮ接続がアタッチＰＤＮでない場合、ＵＥは、１ｘ／ＨＲＰＤデータ接続をティアダウンし、アプリケーションによる要求に応答してＬＴＥアクセスネットワークにおいて新しいＰＤＮ接続を確立し得る。
【００８３】
[0095]例として、２つまたは３つのＰＤＮ接続（たとえば、ＰＤＮ接続Ａ、ＰＤＮ接続Ｂ、および／または新しいＰＤＮ接続Ｃ）が図８Ａ、図８Ｂ、および図８Ｃの各々に示されている。しかしながら、他の例では、アクセスネットワーク間で転送されるかまたはそれと確立される、任意の数のＰＤＮ接続があり得る。
【００８４】
[0096]図９Ａおよび図９Ｂは、ＵＥのＷＷＡＮ  ＰＤＮ接続が非シームレスＷＬＡＮオフローディング（ＮＳＷＯ）に従うとき（たとえば、特定のＡＰＮ（たとえば、インターネットＡＰＮ）が、ＷＬＡＮにトラフィックをオフロードするときに）常にＮＳＷＯを使用する場合、ＵＥのすべてのＰＤＮ接続のすべてのトラフィックがＷＬＡＮアクセスネットワークにどのようにオフロードされ得るかの例を与える。より詳細には、図９Ａは、ＵＥ１１５−ｉが、ＷＷＡＮアクセスネットワークとの（たとえば、ＬＴＥアクセスネットワークのｅＮＢ１０５−ａ−８との）ＰＤＮ接続Ａと、ＷＬＡＮアクセスネットワークとの（たとえば、ＷＬＡＮアクセスネットワークのＷＬＡＮ  ＡＰ１０５−ｄ−８との）ＰＤＮ接続Ｂとを有し得る、ワイヤレス通信システム９００−ａの構成を示す図を与える。ＰＤＮ接続ＡおよびＰＤＮ接続Ｂは、それぞれのＷＷＡＮおよびＷＬＡＮアクセスネットワーク上で異なるＡＰＮに接続し得る。ｅＮＢ１０５−ａ−８およびＷＬＡＮ  ＡＰ１０５−ｄ−８の各々はＥＰＣ１３０−ａ−７への接続を有し得、ＥＰＣ１３０−ａ−７はＰＤＮ２３５−ｇへの接続を有し得る。ＷＬＡＮ  ＡＰ１０５−ｄ−８はインターネット９０５への直接接続をも有し得る。ワイヤレス通信システム、ＵＥ１１５−ｉ、ｅＮＢ１０５−ａ−８、ＷＬＡＮ  ＡＰ１０５−ｄ−８、ＥＰＣ１３０−ａ−７、およびＰＤＮ２３５−ｇは、図１および／または図２に関して説明したそれぞれのワイヤレス通信システム１００または２００、ＵＥ１１５、ｅＮＢ１０５−ａ、ＷＬＡＮ  ＡＰ１０５−ｄ、ＥＰＣ１３０、およびＰＤＮ２３５の１つまたは複数の態様の例であり得る。
【００８５】
[0097]ワイヤレス通信システムの動作中のある時点において、トリガリングイベントがＵＥ１１５−ｉのすべてのＰＤＮ接続のすべてのトラフィックをｅＮＢ１０５−ａ−８からＷＬＡＮ  ＡＰ１０５−ｄ−８にオフロードさせ得る。いくつかの場合には、トリガリングイベントは、ＵＥ１１５−ｈのアクセスネットワーク管理モジュールによって行われた決定を含み得、その決定は、ＷＬＡＮアクセスネットワークがＬＴＥアクセスネットワークよりも選好されるという決定であり得る。他の場合には、トリガリングイベントは、ＬＴＥアクセスネットワークとのＵＥ１１５−ｉの最後のＰＤＮ接続についてＬＴＥアクセスネットワークによって開始されたＰＤＮ切断プロシージャを含み得る。さらに他の場合には、トリガリングイベントは、ＵＥ１１５−ｉ上で実行しているアプリケーションのアクティビティ（たとえば、要求）を含み得、そのアプリケーションは、ＵＥ１１５−ｉに、ＬＴＥ以外のＥＰＣ対応無線アクセス技術（ＲＡＴ）（たとえば、ｅＨＲＰＤ）に関するＵＥ１１５−ｉの最後のＰＤＮ接続についてＰＤＮ切断プロシージャを開始させる。
【００８６】
[0098]図９Ｂは、トリガリングイベントがＵＥ１１５−ｉのＰＤＮ接続のすべてのトラフィックのすべてをｅＮＢ１０５−ａ−８からＷＬＡＮ  ＡＰ１０５−ｄ−８にオフロードさせることから生じ得る、ワイヤレス通信システム９００−ｂの構成を示す図である。トリガリングイベントの発生の前または後のいずれかに、ＵＥ１１５−ｉは、ＵＥ１１５−ｉの所与のＰＤＮ接続（たとえば、ｅＮＢ１０５−ａ−８とのＰＤＮ接続Ａ）がＮＳＷＯに従うと決定し得、いくつかの場合には、ＵＥ１１５−ｉの当該所与のＰＤＮ接続がＬＴＥアクセスネットワーク上で確立されたＵＥ１１５−ｉの最後のＰＤＮ接続であると決定し得る。ｅＮＢ１０５−ａ−８とのＰＤＮ接続ＡがＮＳＷＯに従うという決定に基づいて、およびいくつかの場合には、ＰＤＮ接続ＡがＬＴＥアクセスネットワーク上で確立されたＵＥ１１５−ｉの最後のＰＤＮ接続であるというさらなる決定に基づいて、ＵＥ１１５−ｉは、ｅＮＢ１０５−ａ−８とのＰＤＮ接続Ａを維持し（またはそれにアタッチされたままであり）得る。ＵＥ１１５−ｉは、ＷＬＡＮ  ＡＰ１０５−ｄ−８とのＰＤＮ接続Ｂをも維持し得る。しかしながら、トリガリングイベントの発生の後に、ｅＮＢ１０５−ａ−８とのＰＤＮ接続ＡのトラフィックはＷＬＡＮ  ＡＰ１０５−ｄ−８にオフロードされ得る。ｅＮＢ１０５−ａ−８とのＰＤＮ接続ＡはＮＳＷＯに従うので、ＵＥ１１５−ｉおよびｅＮＢ１０５−ａ−８は、ｅＮＢ１０５−ａ−８とのＰＤＮ接続Ａ上でデータを送信および受信するのを控えることになる。トリガリングイベントに応答して、ＵＥ１１５−ｉはまた、他のＷＷＡＮ  ＰＤＮ接続上でデータを送信および受信するのを控え得る。しかしながら、ＵＥ１１５−ｉは、いくつかの場合には、ＷＷＡＮ  ＰＤＮ接続上でデータを送信および受信するのを控えるとともに、ＬＴＥアクセスネットワークからＳＩＢメッセージを受信し得る。
【００８７】
[0099]いくつかの場合には、ＵＥ１１５−ｉは、ＵＥ１１５−ｉがＷＷＡＮ  ＰＤＮ接続上でデータを送信および受信するのを控えている間、ＬＴＥアクセスネットワークがＵＥ１１５−ｉから切断したと決定し得る。これらの場合、ＵＥ１１５−ｉは、ＵＥ１１５−ｉがＷＷＡＮ  ＰＤＮ接続上でデータを送信および受信するのを控え続けている間に、ＬＴＥアクセスネットワーク上での所与のＰＤＮ接続（たとえば、ｅＮＢ１０５−ａ−８とのＰＤＮ接続Ａ）に再接続し得る。
【００８８】
[0100]例として、２つまたは３つのＰＤＮ接続（たとえば、ＰＤＮ接続ＡおよびＰＤＮ接続Ｂ）が図９Ａおよび図９Ｂの各々に示されている。しかしながら、他の例では、ＷＷＡＮアクセスネットワークからＷＬＡＮアクセスネットワークにそれのためのトラフィックがオフロードされる任意の数のＰＤＮ接続、およびＷＬＡＮアクセスネットワークとの任意の数のＰＤＮ接続があり得る。また、ＷＬＡＮアクセスネットワークへのすべてのＰＤＮ接続のすべてのトラフィックのオフロードの前または後のいずれかに、ＷＬＡＮアクセスネットワークとの新しいＰＤＮ接続が確立され得る。
【００８９】
[0101]図１０Ａおよび図１０Ｂに、ＵＥ１１５−ｊが、ＷＷＡＮ  ＰＤＮ接続上でデータを送信および受信するのを控えるとともに、ＮＳＷＯに従い、どのようにＬＴＥアクセスネットワークにアタッチし、ＰＤＮ接続に接続し得るかを示す。より詳細には、図１０Ａは、ＵＥ１１５−ｊが、ＷＬＡＮアクセスネットワークとの（たとえば、ＷＬＡＮアクセスネットワークのＷＬＡＮ  ＡＰ１０５−ｄ−９との）ＰＤＮ接続Ｂを有し得る、ワイヤレス通信システム１０００−ａの構成を示す図を与える。ＵＥ１１５−ｊはまた、ｅＮＢ１０５−ａ−９によって表されるＬＴＥアクセスネットワークなど、いくつかのＷＷＡＮアクセスネットワークの範囲内にあり得る。ｅＮＢ１０５−ａ−９およびＷＬＡＮ  ＡＰ１０５−ｄ−９の各々はＥＰＣ１３０−ａ−８への接続を有し得、ＥＰＣ１３０−ａ−８はＰＤＮ２３５−ｈへの接続を有し得る。ＷＬＡＮ  ＡＰ１０５−ｄ−９はインターネット９０５−ａへの直接接続をも有し得る。ワイヤレス通信システム、ＵＥ１１５−ｊ、ｅＮＢ１０５−ａ−９、ＷＬＡＮ  ＡＰ１０５−ｄ−９、ＥＰＣ１３０−ａ−８、およびＰＤＮ２３５−ｈは、図１および／または図２に関して説明したそれぞれのワイヤレス通信システム１００または２００、ＵＥ１１５、ｅＮＢ１０５−ａ、ＷＬＡＮ  ＡＰ１０５−ｄ、ＥＰＣ１３０、およびＰＤＮ２３５の１つまたは複数の態様の例であり得る。
【００９０】
[0102]ＬＴＥアクセスネットワークが、ＵＥ１１５−ｊとのすべてのＰＤＮ接続のすべてのトラフィックを、ＷＬＡＮ  ＡＰ１０５−ｄ−９によって表されるＷＬＡＮアクセスネットワークにオフロードしている間、ＵＥのインターネットトラフィックは接続Ｂ上でＮＳＷＯを使用し得る。ワイヤレス通信システム１０００の動作中のある時点において、およびＵＥ１１５−ｊがＷＷＡＮ  ＰＤＮ接続上でデータを送信および受信するのを控えている間に、ＵＥ１１５−ｊはＬＴＥアクセスネットワークにアタッチし得る（たとえば、ＵＥ１１５−ｊはｅＮＢ１０５−ａ−９にアタッチし得る）。ＬＴＥアクセスネットワークにアタッチしたことに応答して、ＵＥ１１５−ｊは、ＰＤＮ接続がＮＳＷＯに従う場合、ＬＴＥアクセスネットワーク上でＰＤＮ接続に接続し得る。したがって、図１０Ｂの構成に示されているように、ＰＤＮ接続ＡがＵＥ１１５−ｊとｅＮＢ１０５−ａ−９との間に確立され得る。
【００９１】
[0103]図１１はＵＥ１１５−ｋのブロック図１１００である。このＵＥ１１５−ｋは、図１、図２、図３、図４、図５、図６、図７、図８、図９、および／または図１０に関して説明したＵＥ１１５のいずれかの一例であり得る。ＵＥ１１５−ｋは、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなどの構成など、様々な構成のいずれかを有し得る。ＵＥ１１５−ｋは、いくつかの場合には、モバイル動作を可能にするために、小型バッテリーなどの内部電源（図示せず）を有し得る。
【００９２】
[0104]ＵＥ１１５−ｋは、アンテナ１１０５と、トランシーバモジュール１１１０と、メモリ１１１５と、プロセッサモジュール１１２５とを含み得、その各々は、（たとえば、１つまたは複数のバスを介して）互いと直接または間接的に通信していることがある。トランシーバモジュール１１１０は、上記で説明したように、アンテナ１１０５ならびに／あるいは１つまたは複数のワイヤードもしくはワイヤレスリンクを介して、１つまたは複数のネットワークと双方向に通信するように構成され得る。たとえば、トランシーバモジュール１１１０は、図１、図２、図３、図４、図５、図６、図７、図８、図９、および／または図１０に関して説明したアクセスポイント１０５のうちの１つまたは複数と双方向に通信するように構成され得る。トランシーバモジュール１１１０は、パケットを生成および変調し、変調されたパケットを送信のためにアンテナ１１０５に与え、アンテナ１１０５から受信されたパケットを復調するように構成された、１つまたは複数のモデムを含み得る。トランシーバモジュール１１１０は、少なくとも１つのＷＷＡＮ無線機１１４５と少なくとも１つのＷＬＡＮ無線機１１５０とをも含み得る。ＵＥ１１５−ｋは単一のアンテナを含み得るが、ＵＥ１１５−ｋは、一般に、複数の通信リンクのための複数のアンテナ１１０５を含み得る。ＷＷＡＮ無線機１１４５およびＷＬＡＮ無線機１１５０は、ＵＥ１１５−ｋが、ＷＷＡＮおよびＷＬＡＮアクセスネットワーク上で異なるアクセスポイント名（ＡＰＮ）を同時に使用して、多重アクセスＰＤＮ接続性（ＭＡＰＣＯＮ）をサポートすることを可能にし得る。
【００９３】
[0105]メモリ１１１５は、ランダムアクセスメモリ（ＲＡＭ）と読取り専用メモリ（ＲＯＭ）とを含み得る。メモリ１１１５は、実行されると、プロセッサモジュール１１２５に、本明細書で説明する様々な機能（たとえば、呼処理、データベース管理、メッセージルーティング、ＰＤＮ管理、アクセスネットワーク管理など）を含む、１１５−ｋの様々な機能を実行させるように構成された命令を含んでいるコンピュータ可読、コンピュータ実行可能ソフトウェアコード１１２０を記憶し得る。代替的に、ソフトウェア１１２０は、プロセッサモジュール１１２５によって直接的に実行可能でないことがあるが、（たとえば、コンパイルされ実行されると）コンピュータに本明細書で説明する機能を実行させるように構成され得る。
【００９４】
[0106]プロセッサモジュール１１２５は、インテリジェントハードウェアデバイス、たとえば、中央処理ユニット（ＣＰＵ）、マイクロコントローラ、特定用途向け集積回路（ＡＳＩＣ）などを含み得る。プロセッサモジュール１１２５は、マイクロフォンを介してオーディオを受信し、そのオーディオを、受信したオーディオを表す（たとえば、長さ３０ｍｓの）パケットに変換し、そのオーディオパケットをトランシーバモジュール１１１０に供給し、ユーザが話しているかどうかの指示を与えるように構成された、音声エンコーダ（図示せず）を含み得る。代替的に、エンコーダはパケットのみをトランシーバモジュール１１１０に供給し、パケット自体の供給または抑制／抑圧が、ユーザが話しているかどうかの指示を与え得る。
【００９５】
[0107]図１１のアーキテクチャによれば、ＵＥ１１５−ｊは、アクセスネットワーク管理モジュール１１３０と、ＰＤＮ管理モジュール１１３５と、トリガモジュール１１４０とをさらに含み得る。アクセスネットワーク管理モジュール１１３０は、ＵＥ１１５−ｋのすべてのＰＤＮ接続がＷＬＡＮアクセスネットワークに現在オフロードされていると決定するように構成され得る。ＰＤＮ管理モジュール１１３５は、ＵＥ１１５−ｋのすべてのＰＤＮ接続のすべてのトラフィックがＷＬＡＮアクセスネットワークにオフロードされている間、ＷＷＡＮ  ＰＤＮ接続上でデータを送信および受信するのを控えるように構成され得る。ＰＤＮ管理モジュール１１３５は、トリガリングイベントに応答して、およびＵＥ１１５−ｋの現在のＷＷＡＮキャンピングステータスとＷＬＡＮオフロードポリシーとに従って、利用可能なＷＷＡＮアクセスネットワーク、またはＵＥ１１５−ｋのＰＤＮ接続がそれにオフロードされているＷＬＡＮアクセスネットワークのうちの少なくとも１つとのＰＤＮ接続を確立するようにさらに構成され得る。
【００９６】
[0108]いくつかの実施形態では、アクセスネットワーク管理モジュール１１３０は、ＵＥ１１５−ｋがＷＷＡＮ  ＰＤＮ接続上でデータを送信および受信するのを控えている間に、ＵＥ１１５−ｋをＬＴＥ限定サービスモードに入れるか、またはＵＥ１１５−ｋにおいてＬＴＥ機能をディセーブルにするようにさらに構成され得る。
【００９７】
[0109]アクセスネットワーク管理モジュール１１３０はまた、いくつかの実施形態では、ＵＥ１１５−ｋにとって利用可能なＬＴＥアクセスネットワークと、ＵＥ１１５−ｋにとって利用可能な非ＬＴＥ  ＷＷＡＮアクセスネットワークのいずれかまたは両方を識別するように構成され得る。アクセスネットワーク管理モジュール１１３０は、次いで、ＵＥ１１５−ｋに、ＵＥ１１５−ｋがＷＷＡＮ  ＰＤＮ接続上でデータを送信および受信するのを控えている間に、非ＬＴＥアクセスネットワークにキャンプオンさせ得る。この段落で説明したアクセスネットワーク管理モジュール１１３０構成によって可能にされ得る動作の例について、図３Ａ、図３Ｂ、および図３Ｃに関して説明した。
【００９８】
[0110]他の実施形態では、アクセスネットワーク管理モジュール１１３０は、ＵＥ１１５−ｋにとって現在利用可能な唯一のＷＷＡＮアクセスネットワークがＬＴＥアクセスネットワークであると決定することと、次いで、ＵＥ１１５−ｋに、ＵＥ１１５−ｋがＷＷＡＮ  ＰＤＮ接続上でデータを送信および受信するのを控えている間に、ＬＴＥアクセスネットワークにキャンプオンさせることとを行うように構成され得る。この段落で説明したアクセスネットワーク管理モジュール１１３０構成によって可能にされ得る動作の例について、図４Ａ、図４Ｂ、および図４Ｃに関して説明される。
【００９９】
[0111]ＰＤＮ管理モジュール１１３５は、いくつかの場合には、ＵＥ１１５−ｋの所与のＰＤＮ接続がＮＳＷＯに従うと決定することと、次いで、この決定に基づいて、ＵＥ１１５−ｋを所与のＰＤＮ接続にアタッチされたままにすることとを行うように構成され得る。ＵＥ１１５−ｋは、ＵＥ１１５−ｋがＷＷＡＮ  ＰＤＮ接続上でデータを送信および受信するのを控え続けている間、ＬＴＥアクセスネットワークを通した所与のＰＤＮ接続にアタッチされたままであり得る。いくつかの実施形態では、アクセスネットワーク管理モジュール１１３０は、ＵＥ１１５−ｋがＷＷＡＮ  ＰＤＮ接続上でデータを送信および受信するのを控えている間に、ＬＴＥアクセスネットワーク上でサービスを取得するようにさらに構成され得、ＰＤＮ管理モジュール１１３５は、アクセスネットワーク管理モジュール１１３０がＬＴＥアクセスネットワーク上でサービスを取得したことに応答して、およびＵＥ１１５−ｋがＷＷＡＮ  ＰＤＮ接続上でデータを送信および受信するのを控え続けている間に、ＬＴＥアクセスネットワークとの所与のＰＤＮ接続を確立するようにさらに構成され得る。他の実施形態では、アクセスネットワーク管理モジュール１１３０は、ＵＥ１１５−ｋがＷＷＡＮ  ＰＤＮ接続上でデータを送信および受信するのを控えている間に、ＬＴＥアクセスネットワークがＵＥ１１５−ｋから切断されたと決定するようにさらに構成され得、ＰＤＮ管理モジュール１１３５は、ＵＥ１１５−ｋがＷＷＡＮ  ＰＤＮ接続上でデータを送信および受信するのを控えている間に、ＬＴＥアクセスネットワークとの所与のＰＤＮ接続を再接続するようにさらに構成され得る。この段落で説明したアクセスネットワーク管理モジュール１１３０構成とＰＤＮ管理モジュール１１３５構成とによって可能にされ得る動作の例について、図９Ａ、図９Ｂ、図１０Ａ、および図１０Ｂに関して説明される。
【０１００】
[0112]トリガモジュール１１４０は、トリガリングイベントを検出するように構成され得る。いくつかの場合には、トリガリングイベントは、ＵＥ１１５−ｋのアクセスネットワーク管理モジュール１１３０によって行われた決定を含み得、その決定は、ＷＬＡＮアクセスネットワークがＷＷＡＮアクセスネットワーク（たとえば、ＬＴＥアクセスネットワーク）よりも選好されるという決定であり得る。他の場合には、トリガリングイベントは、ＷＷＡＮアクセスネットワークによって開始されたＰＤＮ切断プロシージャ（たとえば、ＬＴＥアクセスネットワークとのＵＥ１１５−ｋの最後のＰＤＮ接続についてＬＴＥアクセスネットワークによって開始されたＰＤＮ切断プロシージャ）を含み得る。さらに他の場合には、トリガリングイベントは、ＵＥ１１５−ｋ上で実行しているアプリケーションのアクティビティ（たとえば、要求）でありを含み得、そのアプリケーションは、ＵＥ１１５−ｋに、ＬＴＥ以外のＥＰＣ対応無線アクセス技術（ＲＡＴ）（たとえば、ｅＨＲＰＤ）に関するＵＥ１１５−ｋの最後のＰＤＮ接続についてＰＤＮ切断プロシージャを開始させる。
【０１０１】
[0113]例として、モジュール１１３０、１１３５、および／または１１４０は、バスを介してＵＥ１１５−ｋの他の構成要素のうちのいくつかまたはすべてと通信しているＵＥ１１５−ｋの構成要素であり得る。代替的に、モジュール１１３０、１１３５、および／または１１４０の機能は、トランシーバモジュール１１１０の構成要素として、コンピュータプログラム製品として、および／またはプロセッサモジュール１１２５の１つまたは複数のコントローラ要素として実装され得る。
【０１０２】
[0114]ＵＥ１１５−ｋの構成要素は、個別にまたは集合的に、ハードウェア中の適用可能な機能のうちのいくつかまたはすべてを実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の様式でプログラムされ得る他のタイプの集積回路（たとえば、ストラクチャードＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。言及したモジュールの各々は、ＵＥ１１５−ｊの動作に関係する１つまたは複数の機能を実行するための手段であり得る。
【０１０３】
[0115]図１２は、ＢＴＳ１０５−ｇとＵＥ１１５−ｋとを含むＭＩＭＯ通信システム１２００のブロック図である。ＭＩＭＯ通信システム１２００は、図１、図２、図３、図４、図５、図６、図７、図８、図９、およびまたは図１０に示された、ワイヤレス通信システム（たとえば、ワイヤレス通信システム１００または２００）の態様を示し得る。アクセスポイント１０５−ｇはアンテナ１２３４−ａ〜１２３４−ｘを装備し得、ＵＥ１１５−ｌはアンテナ１２５２−ａ〜１２５２−ｎを装備し得る。ＭＩＭＯ通信システム１２００では、アクセスポイント１０５−ｇは、同時に複数の通信リンクを介してデータを送ることが可能であり得る。各通信リンクは「レイヤ」と呼ばれることがあり、通信リンクの「ランク」は、通信のために使用されるレイヤの数を示し得る。たとえば、アクセスポイント１０５−ｇが２つの「レイヤ」を送信する２×２ＭＩＭＯシステムでは、アクセスポイント１０５−ｇとＵＥ１１５−ｌとの間の通信リンクのランクは２である。
【０１０４】
[0116]アクセスポイント１０５−ｇにおいて、送信プロセッサ１２２０がデータソースからデータを受信し得る。送信プロセッサ１２２０はデータを処理し得る。送信プロセッサ１２２０はまた、制御シンボルおよび／または基準シンボルを生成し得る。送信（ＴＸ）ＭＩＭＯプロセッサ１２３０が、適用可能な場合、データシンボル、制御シンボル、および／または基準シンボルに対して空間処理（たとえば、プリコーディング）を実行し得、出力シンボルストリームを送信変調器１２３２−ａ〜１２３２−ｘに与え得る。各変調器１２３２は、出力サンプルストリームを取得するために、（たとえば、ＯＦＤＭなどのために）それぞれの出力シンボルストリームを処理し得る。各変調器１２３２はさらに、ＤＬ信号を取得するために、出力サンプルストリームを処理（たとえば、アナログへの変換、増幅、フィルタ処理、およびアップコンバート）し得る。一例では、変調器１２３２−ａ〜１２３２−ｘからのＤＬ信号は、それぞれアンテナ１２３４−ａ〜１２３４−ｘを介して送信され得る。
【０１０５】
[0117]ＵＥ１１５−ｌにおいて、ＵＥアンテナ１２５２−ａ〜１２５２−ｎは、アクセスポイント１０５−ｇからＤＬ信号を受信し得、受信信号をそれぞれ復調器１２５４−ａ〜１２５４−ｎに与え得る。各復調器１２５４は、入力サンプルを取得するために、それぞれの受信信号を調整（たとえば、フィルタ処理、増幅、ダウンコンバート、およびデジタル化）し得る。各復調器１２５４はさらに、受信シンボルを取得するために、（たとえば、ＯＦＤＭなどのために）入力サンプルを処理し得る。ＭＩＭＯ検出器１２５６は、すべての復調器１２５４−ａ〜１２５４−ｎから受信シンボルを取得し、適用可能な場合は受信シンボルに対してＭＩＭＯ検出を実行し、検出されたシンボルを与え得る。受信プロセッサ１２５８が、検出されたシンボルを処理（たとえば、復調、デインターリーブ、および復号）し、ＵＥ１１５−ｌの復号されたデータをデータ出力に与え、復号された制御情報をプロセッサ１２８０、またはメモリ１２８２に与え得る。
【０１０６】
[0118]プロセッサ１２８０は、いくつかの場合には、アクセスネットワーク管理モジュール１１３０−ａ、ＰＤＮ管理モジュール１１３５−ａ、および／またはトリガモジュール１１４０−ａのうちの１つまたは複数をインスタンス化するための記憶された命令を実行し得る。モジュール１１３０−ａ、１１３５−ａ、および１１４０−ａは、図１２に関して説明したそれぞれのモジュール１１３０、１１３５、および１１４０の態様の例であり得る。
【０１０７】
[0119]アップリンク（ＵＬ）上で、ＵＥ１１５−ｌにおいて、送信プロセッサ１２６４が、データソースからデータを受信し、処理し得る。送信プロセッサ１２６４はまた、基準信号のための基準シンボルを生成し得る。送信プロセッサ１２６４からのシンボルは、適用可能な場合は送信ＭＩＭＯプロセッサ１２６６によってプリコーディングされ、さらに（たとえば、ＳＣ−ＦＤＭＡなどのために）復調器１２５４−ａ〜１２５４−ｎによって処理され、アクセスポイント１０５−ｇから受信した送信パラメータに従ってアクセスポイント１０５−ｇに送信され得る。アクセスポイント１０５−ｇにおいて、ＵＥ１１５−ｌからのＵＬ信号は、アンテナ１２３４によって受信され、復調器１２３２によって処理され、適用可能な場合はＭＩＭＯ検出器１２３６によって検出され、さらに受信プロセッサ１２３８によって処理され得る。受信プロセッサ１２３８は、復号されたデータをデータ出力とプロセッサ１２４０および／またはメモリ１２４２とに与え得る。
【０１０８】
[0120]ＵＥ１１５−ｌの構成要素は、個別にまたは集合的に、ハードウェア中の適用可能な機能のうちのいくつかまたはすべてを実行するように適応された１つまたは複数の特定用途向け集積回路（ＡＳＩＣ）を用いて実装され得る。言及したモジュールの各々は、ＭＩＭＯ通信システム１２００の動作に関係する１つまたは複数の機能を実行するための手段であり得る。同様に、アクセスポイント１０５−ｇの構成要素は、個別にまたは集合的に、ハードウェア中の適用可能な機能のうちのいくつかまたはすべてを実行するように適応された１つまたは複数の特定用途向け集積回路（ＡＳＩＣ）を用いて実装され得る。言及した構成要素の各々は、ＭＩＭＯ通信システム１２００の動作に関係する１つまたは複数の機能を実行するための手段であり得る。
【０１０９】
[0121]図１３は、ＵＥにおいてデータ接続性を管理するための方法１３００の一実施形態を示すフローチャートである。明確のために、方法１３００について、図１、図２、および／または図１２に示されたワイヤレス通信システム１００、２００、および／または１２００に関して、ならびに／あるいは図１、図２、図３、図４、図５、図６、図７、図８、図９、図１０、図１１、および／または図１２に関して説明したＵＥ１１５のうちの１つに関して、以下で説明する。一実装形態では、ＵＥ１１５は、以下で説明する機能を実行するためにデバイスの機能要素を制御するためのコードの１つまたは複数のセットを実行し得る。
【０１１０】
[0122]ブロック１３０５において、ＵＥ１１５のすべてのＰＤＮ接続のすべてのトラフィックがＷＬＡＮアクセスネットワークに現在オフロードされていると決定する。ブロック１３０５における決定は、いくつかの場合には、図１１に関して説明したアクセスネットワーク管理モジュール１１３０によって行われ得る。
【０１１１】
[0123]ブロック１３１０において、ＵＥ１１５は、ＵＥ１１５のすべてのＰＤＮ接続のすべてのトラフィックがＷＬＡＮアクセスネットワークにオフロードされている間、ＷＷＡＮ  ＰＤＮ接続上でデータを送信および受信するのを控える。ＷＷＡＮ  ＰＤＮ接続上でデータを送信および受信するのを控えることは、いくつかの場合には、たとえば、ＵＥ１１５をＬＴＥ限定サービスモードに入れること、またはＵＥ１１５においてＬＴＥ機能をディセーブルにすることを含み得る。ブロック１３１０における動作は、いくつかの場合には、図１１に関して説明したＰＤＮ管理モジュール１１３５によって管理され得る。
【０１１２】
[0124]ブロック１３１５において、トリガリングイベントを検出する。いくつかの場合には、トリガリングイベントは、（たとえば、ＷＬＡＮアクセスが許容できないレベルまで劣化したので、アプリケーションが、ＷＷＡＮに対して既存のＰＤＮ接続のハンドオーバを行うように要求したので、または、たとえば、ＲＡＴの状態が変化したのでＷＷＡＮがＷＬＡＮよりも好ましいとＵＥのアクセスネットワーク管理モジュール（たとえば、図１１のモジュール１１３０）が決定したので）ＷＬＡＮアクセスネットワークから利用可能なＷＷＡＮアクセスネットワークに既存のＰＤＮ接続を転送するという決定を含み得る。他の場合には、トリガリングイベントは、ＵＥ１１５において受信された、ＷＷＡＮアクセスネットワークのみによってサポートされる新しいデータ接続を確立するようにとの要求を含み得る。さらに他の場合には、トリガリングイベントは、ＷＷＡＮがＷＬＡＮよりも高い優先度をそれについて有する新しいＰＤＮ接続を確立するようにとのアプリケーション要求を含み得る。いくつかの実施形態では、ブロック１３１５における動作は、図１１に関して説明したトリガモジュール１１４０によって実行され得る。
【０１１３】
[0125]ブロック１３２０において、トリガリングイベントに応答して、およびＵＥの現在のＷＷＡＮキャンピングステータスとＷＬＡＮオフロードポリシーとに従って、利用可能なＷＷＡＮアクセスネットワークまたはＷＬＡＮアクセスネットワークのうちの少なくとも１つとのＰＤＮまたはデータ接続を確立する。ブロック１３２０における動作も、いくつかの場合には、図１１に関して説明したＰＤＮ管理モジュール１１３５によって管理され得る。
【０１１４】
[0126]したがって、方法１３００は、ＵＥ１１５においてデータ接続性を管理するために使用され得る。方法１３００は一実装形態にすぎないこと、および方法１３００の動作は、他の実装形態が可能であるように、並べ替えられるかまたは場合によっては変更され得ることに留意されたい。
【０１１５】
[0127]図１４Ａおよび図１４Ｂは、ＵＥにおいてデータ接続性を管理するための方法１４００の一実施形態を示すフローチャートである。明確のために、方法１４００について、図１、図２、および／または図１２に示されたワイヤレス通信システム１００、２００、および／または１２００に関して、ならびに／あるいは図１、図２、図３、図４、図５、図６、図７、図８、図１１、および／または図１２に関して説明したＵＥ１１５のうちの１つに関して、以下で説明する。一実装形態では、ＵＥ１１５は、以下で説明する機能を実行するためにデバイスの機能要素を制御するためのコードの１つまたは複数のセットを実行し得る。
【０１１６】
[0128]図１４Ａにおいて開始して、ブロック１４０２において、ＷＷＡＮアクセスネットワーク（たとえば、ＬＴＥアクセスネットワーク）からＷＬＡＮアクセスネットワークにＵＥ１１５の１つまたは複数のＰＤＮ接続をオフロードする。いくつかの場合には、ＵＥ１１５のＰＤＮ接続は、トリガリングイベントに応答してオフロードされ得る。いくつかの場合には、トリガリングイベントは、ＵＥ１１５のアクセスネットワーク管理モジュール（たとえば、モジュール１１３５）による、ＷＬＡＮアクセスネットワークがＷＷＡＮアクセスネットワークよりも選好されるという決定を含み得る。他の場合には、トリガリングイベントは、ＬＴＥアクセスネットワークとのＵＥ１１５の最後のＰＤＮ接続についてＬＴＥアクセスネットワークによって開始されたＰＤＮ切断プロシージャを含み得る。さらに他の場合には、トリガリングイベントは、ＵＥ１１５上で実行しているアプリケーションのアクティビティ（たとえば、要求）でありを含み得、そのアプリケーションは、ＵＥ１１５に、ＬＴＥ以外のＥＰＣ対応無線アクセス技術（ＲＡＴ）（たとえば、ｅＨＲＰＤ）に関するＵＥ１１５の最後のＰＤＮ接続についてＰＤＮ切断プロシージャを開始させる。ブロック１４０２における動作は、いくつかの場合には、図１１に関して説明したアクセスネットワーク管理モジュール１１３０によって実行され得る。
【０１１７】
[0129]すべてのＰＤＮ接続のトラフィックがｅＨＲＰＤアクセスネットワークからオフロードされたとき、たとえば、ＵＥ１１５は、プラクティカル・コンテキスト・メンテナンス・タイマー（Practical Context Maintenance Timer）が、開始された場合、満了した後に、ｅＨＲＰＤ上でポイントツーポイントプロトコル（ＰＰＰ）解放プロシージャを開始し得る。すべてのＰＤＮ接続のトラフィックがＬＴＥアクセスネットワークからオフロードされたとき、たとえば、ＵＥ１１５は、いくつかの場合にはＬＴＥ登録解除状態に遷移し得る。
【０１１８】
[0130]ブロック１４０４において、ブロック１４０２におけるトラフィックオフローディングに加えてまたはそれの代わりに、ＷＷＡＮアクセスネットワークにおいてＵＥ１１５の１つまたは複数のＰＤＮ接続を終了する。ブロック１４０４における動作は、いくつかの場合には、図１１に関して説明したＰＤＮ管理モジュール１１３５によって実行され得る。
【０１１９】
[0131]ブロック１４０２におけるオフローディングおよび／またはブロック１４０４における接続終了に応答して、ブロック１４０６において、ＵＥ１１５のすべてのＰＤＮ接続のすべてのトラフィックがＷＬＡＮアクセスネットワークに現在オフロードされていると決定する。ブロック１４０６における決定は、いくつかの場合には、図１１に関して説明したアクセスネットワーク管理モジュール１１３０によって行われ得る。
【０１２０】
[0132]ブロック１４０８において、ＵＥ１１５は、ＵＥ１１５のすべてのＰＤＮ接続のすべてのトラフィックがＷＬＡＮアクセスネットワークにオフロードされている間、ＷＷＡＮ  ＰＤＮ接続上でデータを送信および受信するのを控える。ＷＷＡＮ  ＰＤＮ接続上でデータを送信および受信するのを控えることは、いくつかの場合には、たとえば、ＵＥ１１５をＬＴＥ限定サービスモードに入れること、またはＵＥ１１５においてＬＴＥ機能をディセーブルにすることを含み得る。ブロック１４０８における動作は、いくつかの場合には、図１１に関して説明したＰＤＮ管理モジュール１１３５によって管理され得る。ブロック１４１０において、上記で説明したように、ＵＥをＬＴＥ限定サービスモードに入れるか、またはＵＥにおいてＬＴＥ機能をディセーブルにする。
【０１２１】
[0133]ブロック１４１２において、ＵＥ１１５は、利用可能なＷＷＡＮアクセスネットワークをスキャンし、たとえば、もしあれば、ＵＥ１１５にとって利用可能なＬＴＥアクセスネットワーク、および、もしあれば、ＵＥ１１５にとって利用可能な非ＬＴＥ  ＷＷＡＮアクセスネットワークのうちの１つまたは複数を識別する。ブロック１４１４において、非ＬＴＥ  ＷＷＡＮアクセスネットワークが利用可能であると決定されたとき、ＵＥ１１５は、ブロック１４１６において、最も優先度の高い非ＬＴＥ  ＷＷＡＮアクセスネットワークにキャンプオンする。ブロック１４１４において、非ＬＴＥ  ＷＷＡＮアクセスネットワークが利用可能でないと決定されたとき、ＵＥ１１５は、ブロック１４１８において、もしあれば、利用可能なＬＴＥアクセスネットワークにキャンプオンする。ＵＥ１１５は、ＬＴＥ限定サービスモードで利用可能なＬＴＥアクセスネットワークにキャンプオンし得る。代替的に、ＵＥ１１５はＬＴＥをディセーブルにし得る。
【０１２２】
[0134]ブロック１４２０において、別のトリガリングイベントを検出する。いくつかの場合には、トリガリングイベントは、（たとえば、ＷＬＡＮアクセスが許容できないレベルまで劣化したので、アプリケーションが、ＷＷＡＮに対して既存のＰＤＮ接続のハンドオーバを行うように要求したので、または、たとえば、ＲＡＴの状態が変化したのでＷＷＡＮがＷＬＡＮよりも好ましいとＵＥのアクセスネットワーク管理モジュール（たとえば、図１１のモジュール１１３０）が決定したので）ＷＬＡＮアクセスネットワークから利用可能なＷＷＡＮアクセスネットワークに既存のＰＤＮ接続を転送するという決定を含み得る。他の場合には、トリガリングイベントは、ＵＥ１１５において受信された、ＷＷＡＮアクセスネットワークのみによってサポートされる新しいデータ接続を確立するようにとの要求を含み得る。さらに他の場合には、トリガリングイベントは、ＷＷＡＮがＷＬＡＮよりも高い優先度をそれについて有する新しいＰＤＮ接続を確立するようにとのアプリケーション要求を含み得る。いくつかの実施形態では、ブロック１４２０における動作は、図１１に関して説明したトリガモジュール１１４０によって実行され得る。
【０１２３】
[0135]ブロック１４２２において、第２のトリガリングイベントに応答して、ＵＥ１１５は、ＬＴＥ機能をイネーブルにするか、またはそれ自体をＬＴＥ限定サービスモードからＬＴＥ通常モードに入れる。ＬＴＥ通常モードにおいて、ＵＥ１１５は、（ＬＴＥ限定サービスモードでＬＴＥアクセスネットワークにまだアタッチされていない場合）ＬＴＥアクセスネットワークをスキャンし、それにアタッチすることを試み得る。
【０１２４】
[0136]図１４Ｂに進むと、ブロック１４２４において、ＬＴＥをイネーブルにすること、および／またはＵＥをＬＴＥ通常モードに入れることに続いて、ブロック１４２４において、ＵＥが、ＷＷＡＮ  ＰＤＮ接続上でデータを送信および受信するのを控えながら、ＥＰＣ対応非ＬＴＥ  ＷＷＡＮアクセスネットワーク（たとえば、ＥＨＲＰＤ／ＧＳＭ／ＷＣＤＭＡ）、１ｘ／ＨＲＰＤ  ＷＷＡＮアクセスネットワーク、ＬＴＥ  ＷＷＡＮアクセスネットワークにキャンプオンされているかどうか、またはＷＷＡＮアクセスネットワークにキャンプオンされていないかどうかに関する決定を行う。ＵＥがＥＰＣ対応非ＬＴＥ  ＷＷＡＮアクセスネットワークにキャンプオンされている場合、ＵＥは、ブロック１４２６において、当該の（１つまたは複数の）ＰＤＮ接続をＥＰＣ対応非ＬＴＥ  ＷＷＡＮアクセスネットワークに対して確立するか、またはそれに転送することを試みる。ＬＴＥ  ＷＷＡＮアクセスネットワークに対するその後の取得およびアタッチメントに応答して、ＵＥは、ブロック１４２８において、当該のＰＤＮをＬＴＥ  ＷＷＡＮアクセスネットワークに転送することを試みる。次いで、ブロック１４３０において、ＰＤＮ接続をＬＴＥに転送することに関連付けられた条件がもはや満たされないかどうかの決定を行う。条件がもはや満たされない場合、ＵＥはＬＴＥ限定サービスモードに入れられ得るか、またはＬＴＥ機能がＵＥにおいてしばらくディセーブルにされ得る。
【０１２５】
[0137]ブロック１４２４における決定に戻り、ＵＥが、非ＥＰＣ対応非ＬＴＥ  ＷＷＡＮシステム（たとえば、１ｘ／ＨＲＰＤ  ＷＷＡＮシステム）に現在キャンプオンされているか、またはＷＷＡＮシステムに現在キャンプオンされていないと決定された場合、ＵＥは、ブロック１４３４において、ブロック１４２０のトリガイベントが、ＬＴＥへの１つまたは複数のＰＤＮ接続の転送に関係するのか、新しいＰＤＮ接続に関係するのかを決定する。トリガがＬＴＥへの１つまたは複数のＰＤＮ接続の転送に関係する場合（ブロック１４３４、はい）、フローは、ブロック１４２８、１４３０、および１４３２に関して説明した上述の機能に進み得る。トリガリングイベントが、代わりに、１つまたは複数の新しいＰＤＮ接続を確立することに関係する場合（ブロック１４３４、いいえ）、フローはブロック１４３６に進み得、ここで、ＵＥは、（１つまたは複数の）新しいＰＤＮ接続がＷＬＡＮアクセスネットワークに関して可能にされるかどうかを決定する。
【０１２６】
[0138]（１つまたは複数の）新しいＰＤＮ接続がＷＬＡＮアクセスネットワークに関して可能にされる場合（ブロック１４３６、はい）、ＵＥは、ブロック１４３８において、ＷＬＡＮ上で新しいＰＤＮ接続を確立することを試み、ＵＥは、ＬＴＥアクセスネットワークに対するＵＥのその後の取得およびアタッチメントに応答して、新しいＰＤＮをＬＴＥに転送することを試みる。（１つまたは複数の）新しいＰＤＮ接続がＷＬＡＮアクセスネットワークに関して可能にされない場合（ブロック１４３６、いいえ）、ブロック１４４０において、ＵＥが、非ＥＰＣ対応非ＬＴＥ  １ｘ／ＨＲＰＤ  ＷＷＡＮアクセスネットワークに現在キャンプオンされているのか、ＷＷＡＮアクセスネットワークにまったくキャンプオンされていないのかの決定を行う。
【０１２７】
[0139]ＵＥが非ＥＰＣ対応非ＬＴＥ  １ｘ／ＨＲＰＤ  ＷＷＡＮアクセスネットワークに現在キャンプオンされている場合、ＵＥは、ブロック１４４２において、１ｘ／ＨＲＰＤ上で新しいデータ接続を確立することを試み、ＵＥによるＬＴＥアクセスネットワークに対するその後の取得およびアタッチメントに応答して、ブロック１４４４において、１ｘ／ＨＲＰＤ上のデータ接続を解放する。一方、ＵＥがＷＷＡＮアクセスネットワークに現在キャンプオンされていない場合、ＵＥは、ブロック１４４６において、ＬＴＥアクセスネットワークが、構成されたしきい値時間量内に取得およびアタッチされたかどうかを決定する。そうである場合（ブロック１４４６、はい）、ＵＥは、ブロック１４２６において、ＬＴＥ上で当該のＰＤＮ接続を確立または転送することを試みる。そうでない場合（ブロック１４４６、いいえ）、ＵＥは、ブロック１４４８においてアプリケーションに失敗を宣言し、ブロック１４３２において、ＬＴＥ限定サービスモードに戻るか、またはＬＴＥ機能をディセーブルにする。
【０１２８】
[0140]ブロック１４２４における決定に戻り、ＵＥが限定サービスモードでＬＴＥ  ＷＷＡＮアクセスネットワークに現在キャンプオンされていると決定された場合、ＵＥは、トリガリングイベントに従って、ＬＴＥ  ＷＷＡＮアクセスネットワークに再アタッチすることを試み、ＬＴＥ上で当該のＰＤＮ接続を確立または転送することを試み得る。ブロック１４２４、１４３０、１４４０、および１４４６における動作は、いくつかの場合には、図１１に関して説明したアクセスネットワーク管理モジュール１１３０によって実行され得る。ブロック１４２６、１４２８、１４３２、１４３６、１４３８、１４４２、１４４４、１４４６、および１４４８における動作は、いくつかの場合には、図１１に関して説明したＰＤＮ管理モジュール１１３５によって実行され得る。ブロック１４３４における動作は、いくつかの場合には、図１１に関して説明したトリガモジュール１１４０によって実行され得る。
【０１２９】
[0141]したがって、方法１４００は、ＵＥ１１５においてデータ接続性を管理するために使用され得る。方法１４００は一実装形態にすぎないこと、および方法１４００の動作は、他の実装形態が可能であるように、並べ替えられるかまたは場合によっては変更され得ることに留意されたい。
【０１３０】
[0142]図１５は、ＵＥにおいてデータ接続性を管理するための方法１５００の一実施形態を示すフローチャートである。明確のために、方法１５００について、図１、図２、および／または図１２に示されたワイヤレス通信システム１００、２００、および／または１２００に関して、ならびに／あるいは図１、図２、図９、図１０、図１１、および／または図１２に関して説明したＵＥ１１５のうちの１つに関して、以下で説明する。一実装形態では、ＵＥ１１５は、以下で説明する機能を実行するためにデバイスの機能要素を制御するためのコードの１つまたは複数のセットを実行し得る。
【０１３１】
[0143]ブロック１５０５において、ＵＥ１１５のすべてのＰＤＮ接続のすべてのトラフィックがＷＬＡＮアクセスネットワークに現在オフロードされていると決定する。ブロック１５０５における決定は、いくつかの場合には、図１１に関して説明したアクセスネットワーク管理モジュール１１３０によって行われ得る。
【０１３２】
[0144]ブロック１５１０において、ＵＥ１１５は、ＵＥ１１５のすべてのＰＤＮ接続のすべてのトラフィックがＷＬＡＮアクセスネットワークにオフロードされている間、ＷＷＡＮ  ＰＤＮ接続上でデータを送信および受信するのを控える。ブロック１５１０における動作は、いくつかの場合には、図１１に関して説明したＰＤＮ管理モジュール１１３５によって管理され得る。
【０１３３】
[0145]ブロック１５１５において、ＵＥ１１５は、ＵＥ１１５の所与のＰＤＮ接続がＮＳＷＯに従うと決定する。ブロック１５１５における決定は、いくつかの場合には、図１１に関して説明したアクセスネットワーク管理モジュール１１３０によって行われ得る。
【０１３４】
[0146]ブロック１５２０において、所与のＰＤＮ接続がＮＳＷＯに従うという決定に基づいて、ＵＥ１１５は、ＷＷＡＮ  ＰＤＮ接続上でデータを送信および受信するのを控えるとともに、ＬＴＥアクセスネットワーク上での所与のＰＤＮ接続にアタッチされたままになる。しかしながら、いくつかの場合には、ＵＥ１１５は、所与のＰＤＮ接続が、ＬＴＥアクセスネットワーク上で確立されたＵＥの最後のＰＤＮ接続であるとさらに決定したときにのみ、所与のＰＤＮ接続にアタッチされたままになり得る。
【０１３５】
[0147]ブロック１５２５において、トリガリングイベントを検出する。いくつかの場合には、トリガリングイベントは、（たとえば、ＷＬＡＮアクセスが許容できないレベルまで劣化したので、アプリケーションが、ＷＷＡＮに対して既存のＰＤＮ接続のハンドオーバを行うように要求したので、または、たとえば、ＲＡＴの状態が変化したのでＷＷＡＮがＷＬＡＮよりも好ましいとＵＥのアクセスネットワーク管理モジュール（たとえば、図１１のモジュール１１３０）が決定したので）ＷＬＡＮアクセスネットワークから利用可能なＷＷＡＮアクセスネットワークに既存のＰＤＮ接続を転送するという決定を含み得る。他の場合には、トリガリングイベントは、ＵＥ１１５において受信された、ＷＷＡＮアクセスネットワークのみによってサポートされる新しいデータ接続を確立するようにとの要求を含み得る。さらに他の場合には、トリガリングイベントは、ＷＷＡＮがＷＬＡＮよりも高い優先度をそれについて有する新しいＰＤＮ接続を確立するようにとのアプリケーション要求を含み得る。いくつかの実施形態では、ブロック１５２５における動作は、図１１に関して説明したトリガモジュール１１４０によって実行され得る。
【０１３６】
[0148]ブロック１５３０において、ＵＥは、トリガリングイベントに応答して、およびＵＥの現在のＷＷＡＮキャンピングステータスとＷＬＡＮオフロードポリシーとに従って、既存のＰＤＮ接続をＷＬＡＮからＬＴＥに転送するか、またはＬＴＥ上で新しいＰＤＮ接続確立を実行する。ブロック１５３５において、ＵＥが、このＰＤＮ接続についてＬＴＥアクセスネットワークがＷＬＡＮアクセスネットワークよりも選好されると決定した場合、ＵＥは、ＬＴＥアクセスネットワークを介してＮＳＷＯに従うＰＤＮ接続上でデータを送信および受信することを開始する。ブロック１５３０および１５３５における動作は、いくつかの場合には、図１１に関して説明したＰＤＮ管理モジュール１１３５によって管理され得る。
【０１３７】
[0149]いくつかの場合には、ＮＳＷＯに従うＰＤＮ接続は、トリガリングイベントが発生する前に失われ得る。これらの場合、ＵＥ１１５は、ＮＳＷＯに従うＰＤＮ接続を復元することを試み得る。たとえば、ＵＥ１１５は、ＵＥ１１５がＷＷＡＮ  ＰＤＮ接続上でデータを送信および受信するのを控えている間に、ＬＴＥアクセスネットワークがＵＥ１１５から切断したと決定し得る。そのような場合、ＵＥ１１５は、（ＮＳＷＯに従うＰＤＮ接続上でデータを送信および受信するのを控えることを含めて）ＷＷＡＮ  ＰＤＮ接続上でデータを送信および受信するのを控え続けている間に、ＮＳＷＯに従うＰＤＮ接続に再接続し（または再接続することを試み）得る。
【０１３８】
[0150]したがって、方法１５００は、ＵＥ１１５においてデータ接続性を管理するために使用され得る。方法１５００は一実装形態にすぎないこと、および方法１５００の動作は、他の実装形態が可能であるように、並べ替えられるかまたは場合によっては変更され得ることに留意されたい。
【０１３９】
[0151]図１６は、ＵＥにおいてデータ接続性を管理するための方法１５００の別の実施形態を示すフローチャートである。明確のために、方法１５００について、図１、図２、および／または図１２に示されたワイヤレス通信システム１００、２００、および／または１２００に関して、ならびに／あるいは図１、図２、図９、図１０、図１１、および／または図１２に関して説明したＵＥ１１５のうちの１つに関して、以下で説明する。一実装形態では、ＵＥ１１５は、以下で説明する機能を実行するためにデバイスの機能要素を制御するためのコードの１つまたは複数のセットを実行し得る。
【０１４０】
[0152]ブロック１６０５において、ＵＥ１１５のすべてのＰＤＮ接続のすべてのトラフィックがＷＬＡＮアクセスネットワークに現在オフロードされていると決定する。ブロック１６０５における決定は、いくつかの場合には、図１１に関して説明したアクセスネットワーク管理モジュール１１３０によって行われ得る。
【０１４１】
[0153]ブロック１６１０において、ＵＥ１１５は、ＵＥ１１５のすべてのＰＤＮ接続のすべてのトラフィックがＷＬＡＮアクセスネットワークにオフロードされている間、ＷＷＡＮ  ＰＤＮ接続上でデータを送信および受信するのを控える。ＷＷＡＮ  ＰＤＮ接続上でデータを送信および受信するのを控えることは、いくつかの場合には、たとえば、ＵＥ１１５をＬＴＥ限定サービスモードに入れること、またはＵＥ１１５においてＬＴＥ機能をディセーブルにすることを含み得る。ブロック１６１０における動作は、いくつかの場合には、図１１に関して説明したＰＤＮ管理モジュール１１３５によって管理され得る。
【０１４２】
[0154]ブロック１６１５において、ＷＷＡＮ  ＰＤＮ接続上でデータを送信および受信するのを控え続けながら、ＵＥ１１５はＬＴＥアクセスネットワーク上でサービスを取得する。
【０１４３】
[0155]ブロック１６２０において、ＵＥ１１５は、所与のＰＤＮ接続がＮＳＷＯに従うであろうと決定する。ブロック１６２５において、所与のＰＤＮ接続がＮＳＷＯに従うであろうという決定に基づいて、ＵＥ１１５はＬＴＥアクセスネットワークとの所与のＰＤＮ接続を確立する。そうする間、ＵＥ１１５は、ＷＷＡＮ  ＰＤＮ接続上でデータを送信および受信するのを控え続け得る。ブロック１６２０および１６２５における動作は、いくつかの場合には、図１１に関して説明したアクセスネットワーク管理モジュール１１３０によって行われ得る。
【０１４４】
[0156]ブロック１６３０において、トリガリングイベントを検出する。いくつかの場合には、トリガリングイベントは、（たとえば、ＷＬＡＮアクセスが許容できないレベルまで劣化したので、アプリケーションが、ＷＷＡＮに対して既存のＰＤＮ接続のハンドオーバを行うように要求したので、または、たとえば、ＲＡＴの状態が変化したのでＷＷＡＮがＷＬＡＮよりも好ましいとＵＥのアクセスネットワーク管理モジュール（たとえば、図１１のモジュール１１３０）が決定したので）ＷＬＡＮアクセスネットワークから利用可能なＷＷＡＮアクセスネットワークに既存のＰＤＮ接続を転送するという決定を含み得る。他の場合には、トリガリングイベントは、ＵＥ１１５−ｅにおいて受信された、ＷＷＡＮアクセスネットワークのみによってサポートされる新しいデータ接続を確立するようにとの要求を含み得る。さらに他の場合には、トリガリングイベントは、ＷＷＡＮがＷＬＡＮよりも高い優先度をそれについて有する新しいＰＤＮ接続を確立するようにとのアプリケーション要求を含み得る。いくつかの実施形態では、ブロック１６３０における動作は、図１１に関して説明したトリガモジュール１１４０によって実行され得る。
【０１４５】
[0157]ブロック１６３５において、ＵＥは、トリガリングイベントに応答して、およびＵＥの現在のＷＷＡＮキャンピングステータスとＷＬＡＮオフロードポリシーとに従って、既存のＰＤＮ接続をＷＬＡＮからＬＴＥに転送するか、またはＬＴＥ上で新しいＰＤＮ接続確立を実行する。ブロック１６４０において、ＵＥが、このＰＤＮ接続についてＬＴＥアクセスネットワークがＷＬＡＮアクセスネットワークよりも選好されると決定した場合、ＵＥは、ＬＴＥアクセスネットワークを介してＮＳＷＯに従うＰＤＮ接続上でデータを送信および受信することを開始する。ブロック１６３５および１６４０における動作は、いくつかの場合には、図１１に関して説明したＰＤＮ管理モジュール１１３５によって管理され得る。
【０１４６】
[0158]したがって、方法１６００は、ＵＥ１１５においてデータ接続性を管理するために使用され得る。方法１６００は一実装形態にすぎないこと、および方法１６００の動作は、他の実装形態が可能であるように、並べ替えられるかまたは場合によっては変更され得ることに留意されたい。
【０１４７】
[0159]添付の図面に関して上記に記載した詳細な説明は、例示的な実施形態について説明しており、実装され得るまたは特許請求の範囲内に入る実施形態のみを表すものではない。この説明全体にわたって使用する「例示的」という用語は、「例、事例、または例示の働きをすること」を意味し、「好ましい」または「他の実施形態よりも有利な」を意味しない。詳細な説明は、説明した技法の理解を与えるために、具体的な詳細を含む。ただし、これらの技法は、これらの具体的な詳細なしに実施され得る。いくつかの事例では、説明した実施形態の概念を不明瞭にすることを回避するために、よく知られている構造およびデバイスがブロック図の形式で示されている。
【０１４８】
[0160]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１４９】
[0161]本明細書の開示に関して説明した様々な例示的なブロックおよびモジュールは、少なくとも１つの汎用プロセッサ、少なくとも１つのデジタル信号プロセッサ（ＤＳＰ）、少なくとも１つの特定用途向け集積回路（ＡＳＩＣ）、少なくとも１つのフィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、少なくとも１つのプロセッサ、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１５０】
[0162]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコンピュータ可読プログラムコードとして非一時的コンピュータ可読媒体上に記憶されるか、あるいは非一時的コンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０１５１】
[0163]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１５２】
[0164]本開示についての以上の説明は、当業者が本開示を作成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
【図１】
2016526316.tif 000003
【図２】
2016526316.tif 000004
【図３Ａ】
2016526316.tif 000005
【図３Ｂ】
2016526316.tif 000006
【図３Ｃ】
2016526316.tif 000007
【図４Ａ】
2016526316.tif 000008
【図４Ｂ】
2016526316.tif 000009
【図４Ｃ】
2016526316.tif 000010
【図５Ａ】
2016526316.tif 000011
【図５Ｂ】
2016526316.tif 000012
【図５Ｃ】
2016526316.tif 000013
【図６Ａ】
2016526316.tif 000014
【図６Ｂ】
2016526316.tif 000015
【図６Ｃ】
2016526316.tif 000016
【図７Ａ】
2016526316.tif 000017
【図７Ｂ】
2016526316.tif 000018
【図７Ｃ】
2016526316.tif 000019
【図８Ａ】
2016526316.tif 000020
【図８Ｂ】
2016526316.tif 000021
【図８Ｃ】
2016526316.tif 000022
【図９Ａ】
2016526316.tif 000023
【図９Ｂ】
2016526316.tif 000024
【図１０Ａ】
2016526316.tif 000025
【図１０Ｂ】
2016526316.tif 000026
【図１１】
2016526316.tif 000027
【図１２】
2016526316.tif 000028
【図１３】
2016526316.tif 000029
【図１４Ａ】
2016526316.tif 000030
【図１４Ｂ】
2016526316.tif 000031
【図１５】
2016526316.tif 000032
【図１６】
2016526316.tif 000033
【国際調査報告】
2016526316.tif 000034
2016526316.tif 000035
2016526316.tif 000036